(57)【要約】オンライン上における医療情報管理方法が開示される。本方法では、医師が診療の間または診療後に作成する種々の様式の文書、看護師が看護サービスの間またはサービス後に作成する看護日誌、及び臨床検査室の職員が患者に物理検査を実行する間または実行後に作成する他の種々の日誌または報告書がネットワークを通じて提供され、ネットワークを通じて入力された種々の情報が、統合的に管理され、後に、そのような情報に対する閲覧権限が有するユーザに提供される。これにより、多様な情報をユーザ間で共有することができる。
2006527445.tif 000002
【特許請求の範囲】
【請求項１】
医療情報提供システムに適用されるオンライン上における医療情報管理方法であって、
（１）インターネットまたはイントラネットを通じて、前記医療情報提供システムに接続されている医師用端末機２０から医師用医療情報管理サービスの要請がある場合、制御部１２が前記要請に対する認証手順を遂行する処理と、
（２）前記認証手順により、前記要請が、認証されたユーザによりなされたものであると判断された場合、前記制御部１２が、ユーザ情報表示部１０、マイ・メニュー部１２０、メイン・メニュー部１３０、患者情報閲覧部１４０、患者情報入力部１５０からなるグループから選択された少なくとも一つを含む医師用ウェブ画面を前記医師用端末機２０に伝送する処理と、
（３）診療する患者が選択された場合に、前記制御部１２が、前記患者の識別情報、診療科、主治医、診断名、手術名からなるグループから選択された少なくとも一つを含む情報を前記ユーザ情報表示部１０に出力する処理と、
（４）外来初診情報、外来経過情報、入院初診情報、入院経過情報、他科依頼情報、手術記録情報、退院記録情報、診断書／依頼書情報、書式情報、精神科診断評価情報からなるグループから選択された少なくとも一つの情報が前記患者情報入力部１５０を通じて入力された場合に、前記制御部１２が、入力された前記情報を、前記ユーザ情報表示部１０に出力された前記患者情報と共に格納する処理と、
（５）外来初診情報、外来経過情報、検査照会情報、他科依頼情報、書式情報、入院初診情報、入院経過情報、手術記録情報、退院記録情報からなるグループから選択された少なくとも一つの情報に対する閲覧要請が、前記患者情報閲覧部１４０を通じて入力された場合、前記制御部１２が、前記処理（４）において格納されている前記情報の中から該当情報を抽出して、前記患者情報閲覧部１４０を通じて出力する処理と、
を含むオンライン上における医療情報管理方法。
【請求項２】
前記ユーザ情報表示部１０に、
主治医の他に別の医師が指定されている場合に、該当医師を識別し登録するための協診医メニュー、前記患者に対して処方された薬に関する情報を確認するための処方薬品メニュー、前記患者に関する詳細な識別情報を確認するための患者情報メニュー、前記患者の特殊な状態に関する情報を入力または閲覧するためのアラート・メニュー、前記患者の診療中に留意しなければならない事項を入力または閲覧するためのリマインダ・メニューからなるグループから選択された少なくとも一つのメニューを出力する、請求項１に記載のオンライン上における医療情報管理方法。
【請求項３】
（６）前記医師用ウェブ画面が出力されており、同時にオーダー入力メニューが選択された場合に、前記制御部１２が前記患者に対するオーダーを入力するためのオーダー入力ウィンドウ１７０を前記医師用端末機２０に出力し、前記オーダー入力ウィンドウ１７０を通じて入力されたオーダーを格納する処理と、
（７）前記患者情報閲覧部１４０を通じて前記オーダーに対する閲覧要請がある場合に、前記制御部１２が、格納されている前記オーダーを前記医師用端末機２０に伝送して出力する処理と、
を更に含む請求項１に記載のオンライン上における医療情報管理方法。
【請求項４】
（８）前記患者情報閲覧部１４０を通じて看護日誌の閲覧要請がある場合に、前記制御部１２が看護師用端末機３０を通じて入力され格納されている看護日誌を前記患者情報閲覧部１４０を通じて出力する処理を更に含む請求項１に記載のオンライン上における医療情報管理方法。
【請求項５】
外来初診情報、外来経過情報、入院初診情報、入院経過情報、他科依頼情報、手術記録情報、退院記録情報、診断書／依頼書情報、書式情報、精神科診断評価情報を含む前記患者情報入力部１５０を通じて入力される情報の入力項目は、医師が選択的にチェックしたり、または、該当内容を直接入力したりできるように構成されている、請求項１に記載のオンライン上における医療情報管理方法。
【請求項６】
前記患者情報閲覧部に表示される患者情報は、時間順に該当内容を出力するように構成されている、請求項１に記載のオンライン上における医療情報管理方法。
【請求項７】
外来初診情報及び入院初診情報を入力するための前記患者情報入力部１５０には、主症状（ＣＣ）メニュー、現在状態（ＰＩ）メニュー、過去病歴１（ＰＨｘ１）メニュー、過去病歴２（ＰＨｘ２）メニュー、システムのレビュー（ＲＯＳ）メニュー、身体検証及び診療計画（Ａ／Ｐ）メニューからなるグループから選択された少なくとも一つのメニューが出力される、請求項１に記載のオンライン上における医療情報管理方法。
【請求項８】
前記医師用ウェブ画面を通じて入力された情報が格納されており、医師用端末機２０、看護師用端末機３０、臨床検査室の職員用端末機４０、管理職員用端末機５０のうちから選択された少なくとも一つの端末機から前記格納された情報に対する要請があり、前記要請が、閲覧権限を有する認証されたユーザによりなされたものである場合には、前記格納されている情報の要請は実行される、請求項１乃至７のうちのいずれか一項に記載のオンライン上における医療情報管理方法。
【請求項９】
医療情報提供システムに適用されるオンライン上における医療情報管理方法であって、
（１）インターネットまたはイントラネットを通じて、前記医療情報提供システムに接続されている看護師用端末機３０から看護師用医療情報管理サービスの要請がある場合、制御部１２が前記要請に対する認証手順を遂行する処理と、
（２）前記認証手順により、前記要請が、認証されたユーザによりなされたものであると判断された場合、前記制御部１２が、ユーザ情報表示部２４、マイ・メニュー部２２０、メイン・メニュー部２３０、患者選択部２４０、患者情報入出力部２５０からなるグループから選択された少なくとも一つを含む看護師用ウェブ画面を前記看護師用端末機３０に伝送する処理と、
（３）診療する患者が選択された場合に、前記制御部１２が、前記患者の識別情報、診療科、主治医、診断名、手術名からなるグループから選択された少なくとも一つを含む情報を前記ユーザ情報表示部２４に出力する処理と、
（４）前記マイ・メニュー部２２０にあるオーダー遂行、看護日誌、臨床観察、重患者看護日誌、看護活動遂行、初期看護情報、退院看護計画、手術前看護状態確認表、看護日誌及び看護活動照会、患者位置移動確認、処置発行、食事発行及び照会、検査結果照会、退院進行のうちから選択された少なくとも一つのメニューを活性化させる要請がある場合に、前記制御部１２が前記患者情報入出力部２５０に該当内容を出力し、前記患者情報入出力部２５０を通じて入力された情報を格納し、前記メニューの出力要請がある場合に、前記患者情報入出力部２５０を通じて前記要請された情報を出力する処理と、
を含み、
前記患者選択部２４０には、
患者を選択するための第１患者選択ボタン２４０−１、前記第１患者選択ボタン２４０−１により選択されたメニューに従って他の形態で出力される第２患者選択ボタン２４０−２、及び前記第２患者選択ボタン２４０−２により選択されたメニューに従って患者の目録を出力するための患者目録２４０−３が表示されている、オンライン上における医療情報管理方法。
【請求項１０】
前記ユーザ情報表示部２４に、
主治医の他の別の医師が指定されている場合に、該当医師を確認し登録するための協診医メニュー、前記患者に対して処方された薬に関する情報を確認するための処方薬品メニュー、前記患者に関する詳細な識別情報を確認するための患者情報メニュー、前記患者の特殊な状態に関する情報を入力または閲覧するためのアラート・メニュー、前記患者の診療に対するリマインダを入力または閲覧するためのリマインダ・メニューからなるグループから選択された少なくとも一つのメニューを出力する、請求項９に記載のオンライン上における医療情報管理方法。
【請求項１１】
（５）前記マイ・メニュー部２２０のオーダー遂行メニュー２２０ａが選択された場合、前記制御部１２が医師により入力され格納されている前記患者に対するオーダーを前記患者情報入出力部２５０を通じて出力する処理を更に含む請求項９に記載のオンライン上における医療情報管理方法。
【請求項１２】
（６）前記マイ・メニュー部２２０の看護日誌メニュー２２０ｂが選択された場合、前記制御部１２が看護日誌に入力できる項目を出力し、前記項目の中から選択された項目に対する格納要請がある場合に、前記選択された項目を表示し、前記患者情報入出力部を通じて前記項目を出力する処理を更に含む請求項９に記載のオンライン上における医療情報管理方法。
【請求項１３】
（７）前記マイ・メニュー部２２０の臨床観察メニュー２２０ｃが選択された場合、前記制御部１２が該当画面を前記患者情報入出力部２５０に出力し、前記入出力部２５０を通じて入力された臨床観察情報を格納し、前記患者情報入出力部を通じて前記臨床観察情報を出力する処理を更に含む請求項９に記載のオンライン上における医療情報管理方法。
【請求項１４】
前記看護師用ウェブ画面を通じて入力された情報が格納されており、医師用端末機２０、看護師用端末機３０、臨床検査室の職員用端末機４０、管理職員用端末機５０のうちから選択された少なくとも一つの端末機から前記格納されている情報に対する要請があり、前記要請が、閲覧権限を有するユーザによりなされたものである場合には、前記情報が伝送されて閲覧される、請求項９乃至１３のうちのいずれか一項に記載のオンライン上における医療情報管理方法。
【請求項１５】
医療情報提供システムに適用されるオンライン上における医療情報管理方法であって、
（１）インターネットまたはイントラネットを通じて、前記医療情報提供システムに接続されている医師用端末機２０、看護師用端末機３０、臨床検査室の職員用端末機４０のうちから選択された少なくとも一つの端末機から、臨床検査室の職員用医療情報管理サービスの要請がある場合、制御部１２が前記要請に対する認証手順を遂行する処理と、
（２）前記認証手順により、前記要請が、認証されたユーザによりなされたものであると判断された場合、前記制御部１２が、ユーザ情報表示部、メイン・メニュー部、患者情報入出力部からなるグループから選択された少なくとも一つを含む臨床検査室の職員用ウェブ画面を前記サービスを要請した端末機に伝送する処理と、
（３）照会する患者が選択された場合に、前記制御部１２が、前記患者の識別情報、診療科、主治医、診断名、手術名、検査履歴、受診履歴、治療履歴、治療室、臨床検査室からなるグループから選択された少なくとも一つを含む情報を前記ユーザ情報表示部に出力する処理と、
（４）前記制御部１２が前記メイン・メニュー部から選択されたメニューの内容に従って、該当情報を患者情報入出力部に出力し、前記患者情報入出力部を通じて入力された検査または治療と関連した情報を格納して、該検査または治療と関連した情報の閲覧要請がある場合に該情報を出力する処理と、
を含み、
前記処理（２）の臨床検査室の職員用ウェブ画面は、
各診療科別に割り当てられた機能検査に関する情報のためのウェブ画面、物理治療と作業治療のためのリハビリテーション・サービスためのウェブ画面、放射線治療のためのウェブ画面のうちから選択された少なくとも一つである、オンライン上における医療情報管理方法。
【請求項１６】
前記臨床検査室の職員用ウェブ画面が、各診療科別に割り当てられた機能検査に関する情報を出力するためのウェブ画面である場合に、前記メイン・メニュー部３３０ａは、オーダー照会、予約照会、予約、登録、解釈、検査に関連する統計、検査コード管理、検査室基準情報の予約及び登録、並びに臨床検査室登録メニューからなるグループから選択されたメニューを含み、前記方法は、（５）前記制御部１２が、前記選択されたメニューに対応する情報を前記患者情報入出力部３５０ａに出力し、前記患者情報入出力部を通じて入力された入力情報を格納する処理を更に含む請求項１５に記載のオンライン上における医療情報管理方法。
【請求項１７】
前記臨床検査室の職員用ウェブ画面が、リハビリテーションに関する情報を出力するためのウェブ画面である場合に、前記方法は、（６）前記メイン・メニュー部３３０ｂは、退院患者照会メニュー、患者識別照会メニュー、登録メニュー、治療師割り当てメニュー、治療予定照会メニュー、統計メニューからなるグループから選択された少なくとも一つのメニューを含み、前記制御部１２が前記選択されたメニューに対応する情報を前記患者情報入出力部３５０ｂに出力し、前記患者情報入出力部を通じて入力された入力情報を格納する処理を更に含む請求項１５に記載のオンライン上における医療情報管理方法。
【請求項１８】
前記臨床検査室の職員用ウェブ画面が、健康増進のための健康診断用の健康検査に関する情報を出力するためのウェブ画面である場合に、前記方法は、（７）前記制御部１２が標準的なパッケージ形態で定型化された多数の健康検査メニューを出力し、予約登録を受けて格納し、該当登録に対応する内容を出力し、前記健康検査が遂行されたかどうかをチェックした後、結果のデータを受けて格納する処理を更に含む請求項１５に記載のオンライン上における医療情報管理方法。
【請求項１９】
前記臨床検査室の職員用ウェブ画面が、放射線治療の治療結果に関する情報を出力するためのウェブ画面である場合に、前記方法は、（８）前記制御部１２が放射線治療を受ける患者に関する情報を出力し、放射線治療が遂行されたかどうかをチェックした後、結果のデータを受けて格納する処理を更に含む請求項１５に記載のオンライン上における医療情報管理方法。
【請求項２０】
前記メニューを選択した場合に出力される情報は、医師用端末機２０、看護師用端末機３０、臨床検査室の職員用端末機４０、管理職員用端末機５０のうちから選択された少なくとも一つの端末により入力された情報である、請求項１５乃至１９のうちのいずれか一項に記載のオンライン上における医療情報管理方法。
【請求項２１】
医療情報提供システムに適用されるオンライン上における医療情報管理方法であって、
（１）制御部１２が、インターネットまたはイントラネットを通じてサービス提供システムに接続されている医師用端末機２０、看護師用端末機３０、臨床検査室の職員用端末機４０の各々に対して、医療情報管理のための医師用ウェブ画面、看護師用ウェブ画面、臨床検査室の職員用ウェブ画面を伝送するとともに、前記ウェブ画面を通じて前記端末機のそれぞれから入力された医療情報をユーザが共有できるように格納することによって、患者の診療に必要な医療情報を管理する処理と、
（２）前記医師用ウェブ画面、前記看護師用ウェブ画面、前記臨床検査室の職員用ウェブ画面のうちの少なくとも一つのウェブ画面から提供されるメニューを通じて、意思決定支援情報に対する閲覧要請がある場合に、前記制御部１２が、意思決定支援管理部１８に格納されている意思決定支援情報から抽出された該当意思決定支援情報を、対応する意思決定支援ウェブ画面を通じて、要請したユーザに提供する処理と、
（３）前記制御部１２が、医師の意思決定支援ウェブ画面を通じて、医師、看護師、または臨床検査室の職員のうちから選択された少なくとも一つのユーザが入力した情報を格納し、入力された前記情報を既に格納されている患者の情報に基づいて変換しなければならない場合には、該当計算を遂行し、その計算結果を前記意思決定支援ウェブ画面を通じて提供する処理と、
（４）前記制御部１２が、前記意思決定支援ウェブ画面を通じて入力された情報を前記ユーザ用ウェブ画面を通じて閲覧できるようにし、前記ユーザ用ウェブ画面を通じて入力される情報が前記意思決定支援管理部１８に格納されている意思決定支援情報に関して不適合な情報である場合には、前記ユーザ・ウェブ画面に警告メッセージを出力する処理と、
を含み、
前記意思決定支援情報は、抗癌剤情報、抗生剤情報、輸血処方情報、薬品情報からなるグループから選択された少なくとも一つの情報を含む、オンライン上における医療情報管理方法。
【請求項２２】
抗癌剤に関連した各種情報を提供するための意思決定支援ウェブ画面は、レジメン選択、臨床検査結果照会及びレジメン修正、レジメン処方、鎮吐剤処方、退院計画からなるグループから選択された少なくとも一つのサブメニューを含んでおり、前記抗癌剤のウェブ画面は、前記メニューを通じて、抗癌剤プロトコル管理、抗癌剤処方発行、関連薬物情報照会、患者のブルー・シート連結からなるグループから選択された少なくとも一つの機能を遂行する、請求項２１に記載のオンライン上における医療情報管理方法。
【請求項２３】
前記意思決定支援ウェブ画面のうち、抗生剤に関連した各種情報を提供するための抗生剤ウェブ画面は、特定の疾患や徴候に使われる抗生剤の種類と適用量などの抗生剤関連情報をデータ・ベースで管理できるようにし、実際の処方発行の際、制御及び管理する機能を遂行する、請求項２１に記載のオンライン上における医療情報管理方法。
【請求項２４】
輸血処方情報画面は、患者に輸血しようとする輸血製剤に関する詳細情報、患者の状態に適合した輸血製剤の使用数量に関する情報を含む種々の情報を、ユーザに提供し、輸血に関連したオーダーを受けて格納し、前記オーダーに対する要請がある場合には、前記ユーザ用ウェブ画面を通じて前記オーダーの内容をユーザに提供する、請求項２１に記載のオンライン上における医療情報管理方法。
【請求項２５】
前記意思決定支援ウェブ画面のうち、各種薬品情報を入力して閲覧するための薬品情報ウェブ画面を通じて、商品名、一般名、用量、薬物の作用器官、用法、単位、製薬会社、剤型、保険価格及びコード、過用量の限界に関する情報、薬物コード、薬物相互作用コード、相互作用対象薬物コード、薬物禁忌コード、禁忌対象項目コード、アレルギー・コード、アレルギー対象項目コード、薬物処方期間、用量に関する情報、薬物と診断名に関する情報、薬物使用順位に関する情報を含む保険規約からなるグループから選択された少なくとも一つの情報を提供し、前記情報の各々は薬品処方に関する情報、薬物警告に関する情報、保険規約に関する情報、薬品分類に関する情報に分類される、請求項２１に記載のオンライン上における医療情報管理方法。
【請求項２６】
管理権限があるユーザが、前記ユーザ用ウェブ画面を通じて前記意思決定支援情報に対する修正、削除、編集、新たな意思決定支援情報の登録機能からなるグループから選択された少なくとも一つの機能を要請した場合に、前記方法は、（５）管理者用の意思決定支援ウェブ画面を通じて前記機能を提供する処理を更に含む請求項２１乃至２５のうちのいずれか一項に記載のオンライン上における医療情報管理方法。
【発明の詳細な説明】
【技術分野】
【０００１】
本発明は、オンライン上における医療情報管理方法に関し、特に、医師、看護師、臨床検査室職員が患者に関する情報をオンラインを通じて直接入力したり閲覧したりできるようにした医療情報管理方法に関する。
【背景技術】
【０００２】
全世界的なネットワークであるインターネットとＬＡＮ及びイントラネットのような多様な種類のネットワークの発達により、各種情報を前記ネットワークを通じて共有するようにする技術及びコンテンツが開発されている。
【０００３】
このような技術的進歩は医療業界にも起こっており、内部ネットワークを通じて各種情報を共有する技術が開発されている。
【０００４】
しかしながら、病院内で現在なされている情報共有は、単純にユーザの識別や、治療を受けようとする診療項目、診療予約情報、治療詳細情報、入院情報などの簡単な内容の共有にすぎない。この他にも医師が患者を診療した後に患者に対して発行するオーダー（Order ）、例えばいかなる薬をどのくらい調剤するか、いかなる注射を打つか、いかなる検査を行うかに関する情報だけが、ネットワークを通じて共有されている状況である。
【０００５】
しかしながら、病院で患者を治療したり看護したりする場合に、最も重要な情報は前記のような情報でなく、患者の症状を観察する看護師が記録した看護日誌、医師の治療所見及び治療方法、検査結果、治療結果のような各患者の症状による個別的な状態情報である。
【０００６】
一方、前記のような情報は医師が患者を治療する間に作成したチャートや、看護師が患者を看護する間に作成した看護日誌、または、臨床検査室職員が患者を検査したり治療したりした場合に作成する各種報告書を通じて提供される。
【０００７】
しかしながら、前記のような各患者の症状に係る個別的な状態情報は、その入手経路が多様であるだけでなく、入力しなければならない内容が各診療科別に多様であるので一律的に統一化して電算化できないという問題があり、これによって前記のような情報が病院内でネットワークを通じて共有できる方法はまだ具現されていないのが実情である。
【０００８】
言い換えれば、前記のような患者の症状に係る個別的な状態情報はネットワークとコンピュータ技術の発展にも関わらず、今でも紙チャートに記録して管理される状況から外れていないし、前記紙チャートに記録された内容は別途の職員またはシステムを通じて電算化される程度に留まっているので、効率的に患者の情報を管理できないという問題がある。
【０００９】
また、前記のような情報が電算化されていないので、患者は診療または治療を受ける過程において、より迅速、かつ、正確な医療サービスを提供受けることができないという問題がある。
【００１０】
また、医師、看護師または臨床検査室職員は、患者を診療、看護または検査する間に、各種オーダー（Order ）を発行しなければならない。この際、適切なオーダーを発行することは困難である。即ち、医師、看護師または臨床検査室の職員は、薬剤の選択または輸血量などを選択する際に困難に陥る。このような場合、医師、看護師または臨床検査室の職員は、各種書籍を通じて該当情報を検索できるが、このような方法は時間が長くかかるだけでなく、探した情報を直接的に活用できないという問題がある。
【発明の開示】
【発明が解決しようとする課題】
【００１１】
本発明は、前記のような問題を解決するためのものであって、医師が患者を診療する間に作成するべき各種書類に対する様式、看護師が患者を看護する間に作成するべき各種書類に対する様式、臨床検査室の職員が患者を検査または治療する間に作成するべき各種書類に対する様式を標準化してネットワークを通じて提供する一方、前記ネットワークを通じて入力された情報を統合的に管理しておいてから閲覧権限があるユーザに提供することによって患者に関する多様な情報を共有できるようにするための、オンライン上における医療情報管理方法を提供することを目的とする。
【００１２】
本発明の他の目的は、前記のように、病院内で医師、看護師、臨床検査室の職員が患者を診療及び看護する間に発生する各種情報をオンライン上で直ちに入力して閲覧できるウェブ画面を端末機を通じて提供する一方、患者に対する処方及び所見に対する意思決定をしなければならない場合に必要な各種意思決定支援情報を前記ウェブ画面を通じて管理及び閲覧できるようにするための、オンライン上における医療情報管理方法を提供することにある。
【課題を解決するための手段】
【００１３】
本発明の一態様は、医療情報提供システムに適用されるオンライン上における医療情報管理方法であって、（１）インターネットまたはイントラネットを通じて、医療情報提供システムに接続されている医師用端末機から医師用医療情報管理サービスの要請がある場合、制御部が前記要請に対する認証手順を遂行する処理と、（２）前記認証手順により、前記要請が、認証されたユーザによりなされたものであると判断された場合、前記制御部が、ユーザ情報表示部、マイ・メニュー部、メイン・メニュー部、患者情報閲覧部、患者情報入力部からなるグループから選択された少なくとも一つを含む医師用ウェブ画面を前記医師用端末機に伝送する処理と、（３）診療する患者が選択された場合に、前記制御部が、前記患者の識別情報、診療科、主治医、診断名、手術名からなるグループから選択された少なくとも一つを含む情報を前記ユーザ情報表示部に出力する処理と、（４）外来初診情報、外来経過情報、入院初診情報、入院経過情報、他科依頼情報、手術記録情報、退院記録情報、診断書／依頼書情報、書式情報、精神科診断評価情報からなるグループから選択された少なくとも一つの情報が前記患者情報入力部を通じて入力された場合に、前記制御部が、入力された前記情報を、前記ユーザ情報表示部に出力された前記患者情報と共に格納する処理と、（５）外来初診情報、外来経過情報、検査照会情報、他科依頼情報、書式情報、入院初診情報、入院経過情報、手術記録情報、退院記録情報からなるグループから選択された少なくとも一つに対する閲覧要請が、前記患者情報閲覧部を通じて入力された場合、前記制御部が、前記処理（４）において格納されている前記情報の中から該当情報を抽出して、前記患者情報閲覧部を通じて出力する処理と、を含む。
【００１４】
本発明の別の態様は、医療情報提供システムに適用されるオンライン上における医療情報管理方法であって、（１）インターネットまたはイントラネットを通じて、前記医療情報提供システムに接続されている看護師用端末機から看護師用医療情報管理サービスの要請がある場合、制御部が前記要請に対する認証手順を遂行する処理と、（２）前記認証手順により、前記要請が、認証されたユーザによりなされたものであると判断された場合、前記制御部が、ユーザ情報表示部、マイ・メニュー部、メイン・メニュー部、患者選択部、患者情報入出力部からなるグループから選択された少なくとも一つを含む看護師用ウェブ画面を前記看護師用端末機に伝送する処理と、（３）診療する患者が選択された場合に、前記制御部が、前記患者の識別情報、診療科、主治医、診断名、手術名からなるグループから選択された少なくとも一つを含む情報を前記ユーザ情報表示部に出力する処理と、（４）前記マイ・メニュー部にあるオーダー遂行、看護日誌、臨床観察、重患者看護日誌、看護活動遂行、初期看護情報、退院看護計画、手術前看護状態確認表、看護日誌及び看護活動照会、患者位置移動確認、処置発行、食事発行及び照会、検査結果照会、退院進行のうちから選択された少なくとも一つのメニューを活性化させる要請がある場合に、前記制御部が前記患者情報入出力部に該当内容を出力し、前記患者情報入出力部を通じて入力された情報を格納し、前記メニューの出力要請がある場合に、前記患者情報入出力部を通じて前記要請された情報を出力する処理と、を含み、前記患者選択部には、患者を選択するための第１患者選択ボタン、前記第１患者選択ボタンにより選択されたメニューに従って他の形態で出力される第２患者選択ボタン、及び前記第２患者選択ボタンにより選択されたメニューに従って患者の目録を出力するための患者目録が表示されている。
【００１５】
本発明の更に別の態様は、医療情報提供システムに適用されるオンライン上における医療情報管理方法であって、（１）インターネットまたはイントラネットを通じて、前記医療情報提供システムに接続されている医師用端末機、看護師用端末機、臨床検査室の職員用端末機のうちから選択された少なくとも一つの端末機から、臨床検査室の職員用医療情報管理サービスの要請がある場合、制御部が前記要請に対する認証手順を遂行する処理と、（２）前記認証手順により、前記要請が、認証されたユーザによりなされたものであると判断された場合、前記制御部が、ユーザ情報表示部、メイン・メニュー部、患者情報入出力部からなるグループから選択された少なくとも一つを含む臨床検査室の職員用ウェブ画面を前記サービスを要請した端末機に伝送する処理と、（３）照会する患者が選択された場合に、前記制御部が、前記患者の識別情報、診療科、主治医、診断名、手術名、検査履歴、受診履歴、治療履歴、治療室、臨床検査室からなるグループから選択された少なくとも一つを含む情報を前記ユーザ情報表示部に出力する処理と、（４）前記制御部が前記メイン・メニュー部から選択されたメニューの内容に従って、該当情報を患者情報入出力部に出力し、前記患者情報入出力部を通じて入力された検査または治療と関連した情報を格納して、該検査または治療と関連した情報の閲覧要請がある場合に該情報を出力する処理と、を含み、前記処理（２）の臨床検査室の職員用ウェブ画面は、各診療科別に割り当てられた機能検査に関する情報のためのウェブ画面、物理治療と作業治療のためのリハビリテーション・サービスためのウェブ画面、放射線治療のためのウェブ画面のうちから選択された少なくとも一つである。
【００１６】
本発明の更に別の態様は、（１）制御部が、インターネットまたはイントラネットを通じてサービス提供システムに接続されている医師用端末機、看護師用端末機、臨床検査室の職員用端末機の各々に対して、医療情報管理のための医師用ウェブ画面、看護師用ウェブ画面、臨床検査室の職員用ウェブ画面を伝送するとともに、前記ウェブ画面を通じて前記端末機のそれぞれから入力された情報をユーザが共有できるように格納することによって、患者の診療に必要な医療情報を管理する処理と、（２）前記医師用ウェブ画面、前記看護師用ウェブ画面、前記臨床検査室の職員用ウェブ画面のうちの少なくとも一つのウェブ画面から提供されるメニューを通じて、意思決定支援情報に対する閲覧要請がある場合に、前記制御部が、意思決定支援管理部に格納されている意思決定支援情報から抽出された該当意思決定支援情報を、対応する意思決定支援ウェブ画面を通じて、要請したユーザに提供する処理と、（３）前記制御部が、医師の意思決定支援ウェブ画面を通じて、医師、看護師、または臨床検査室の職員のうちから選択された少なくとも一つのユーザが入力した情報を格納し、入力された前記情報を既に格納されている患者の情報に基づいて変換しなければならない場合には、該当計算を遂行し、その計算結果を前記意思決定支援ウェブ画面を通じて提供する処理と、（４）前記制御部が、前記意思決定支援ウェブ画面を通じて入力された情報を前記ユーザ用ウェブ画面を通じて閲覧できるようにし、前記ユーザ用ウェブ画面を通じて入力される情報が前記意思決定支援管理部に格納されている意思決定支援情報に関して不適合な情報である場合には、前記ユーザ・ウェブ画面に警告メッセージを出力する処理と、を含み、前記意思決定支援情報は、抗癌剤情報、抗生剤情報、輸血処方情報、薬品情報からなるグループから選択された少なくとも一つの情報を含む。
【発明の効果】
【００１７】
前記のような本発明は、病院内での医師、看護師、または臨床検査室の職員が紙チャートを利用して患者に関する診療情報を入力する不便さを解消するためのものである。本発明によれば、ネットワークを通じてサービス提供システムに接続されたユーザ端末機を通じて入力された各種情報を格納し、ユーザ端末機から該当情報の要請があった場合に提供する。これにより、医師、看護師、臨床検査室の職員が正確、かつ、簡便に患者を診療することができる。
【００１８】
また、本発明によれば、患者に関する情報をサービス提供システムに格納することによって、前記情報に関する閲覧権限を有するように認証された医師、看護師、または臨床検査室の職員であれば誰であっても、前記患者に関する情報を閲覧することができる。これにより、患者に関する情報の迅速な取得が可能である。
【００１９】
また、本発明によれば、医師、看護師、臨床検査室の職員、または管理職員が患者情報を共有することができる。これによって、患者の診療に必要な各種情報を迅速、かつ、正確に取得することができる。
【００２０】
また、本発明によれば、看護師が、患者を看護する間に発生する情報を、その場でノートブック・コンピュータに直接入力したり閲覧したりすることができることによって、紙チャートまたはメモ形式で入力してきた各種患者情報をコンピュータに座って再入力しなければならない不便さをなくすことができる。したがって、看護師はより多くの時間を看護に費やすことできるので、患者の看護を効率よく遂行することができる。
【００２１】
また、本発明は、病院内で医師、看護師、または臨床検査室の職員が各種検査または治療を遂行する場合、紙チャートを利用して患者に関する情報を入力する不便さを解消するためのものである。本発明によれば、ネットワークを通じてサービス提供システムに接続されたユーザ端末機を通じて入力された各種情報を格納し、該当情報の要請があった場合に前記ユーザ端末機に提供する。これにより、医師、看護師、または臨床検査室の職員は、正確、かつ、簡便に患者に対する検査、解釈、及び治療をすることができる。
【００２２】
また、本発明によれば、医師、看護師、または臨床検査室の職員が患者に対する処方及び所見に関する意思決定をしなければならない場合に必要な各種意思決定支援情報をウェブ画面を通じて管理または閲覧することができることよって、各ユーザが簡便に情報を取得することができる。これによって、迅速、かつ、正確な意思決定を下すことができる。
【００２３】
また、本発明による方法によれば、前記意思決定支援情報を利用して、ユーザが処方を直接入力し、各種情報を閲覧することができる。これによって、患者に対する診療行為を円滑に実行することができる。
【発明を実施するための最良の形態】
【００２４】
以下、添付の図面を参照しつつ本発明に係る好ましい実施形態を詳細に説明する。
【００２５】
図１Ａは、本発明が適用される病院業務の一実施形態の概略図である。
【００２６】
即ち、図示されたように、病院業務、特に、患者に対する診療を担当する患者診療業務は、医師が患者を直接相対して診療する医師の診療業務、看護師が患者を看護する看護業務及び臨床検査室の職員が患者に対して検査または治療を遂行する検査業務に区分できる。
【００２７】
一方、前記従来の技術で言及したように、従来は、前記医師の診療業務、看護師の看護業務及び臨床検査室の職員による検査業務の遂行に係る各種患者情報を共有できなかったが、本発明では、ネットワークを通じて前記情報を共有できるようにした。
【００２８】
図１Ｂは、本発明が適用される医療情報提供システムの一実施形態の構成図である。
【００２９】
即ち、図示されたように、本発明が適用される医療情報提供システムは、患者に関する情報を管理及び提供する一方、病院の一般業務情報をネットワークを通じて管理できるようにするためのサービス提供システム１０、医師が前記サービス提供システムに接続して患者に関する各種情報を閲覧したり診療結果を入力したりできるようにするための医師用端末機２０、看護師が前記サービス提供システムに接続して患者に関する各種情報を閲覧したり看護結果を入力したりできるようにするための看護師用端末機３０、病院内の臨床検査室の職員が前記サービス提供システムに接続して患者の検査要請情報を閲覧したり検査結果を前記サービス提供システムに入力したりできるようにするための臨床検査室の職員用端末機４０、管理職員が前記サービス提供システムに接続して一般的な病院業務と関連した各種情報を閲覧できるようにするための管理職員用端末機５０、及びユーザが前記端末機のうちの１つを介して前記サービス提供システムに接続しようとする場合にユーザ認証を遂行するための外部公共認証システム６０を含んで構成されている。
【００３０】
この際、前記図１Ａに言及した医師による診療業務、看護師による看護業務、及び臨床検査室の職員による検査業務は、各々前記医師用端末機２０、看護師用端末機３０及び臨床検査室の職員用端末機４０のウェブ画面で遂行される。この際、説明の便宜上、前記各端末機で実行されるウェブ画面を各々医師用ウェブ画面、看護師用ウェブ画面、及び臨床検査室の職員用ウェブ画面という。
【００３１】
一方、以下では、前記サービス提供システム１０、医師用端末機２０、看護師用端末機３０、及び臨床検査室の職員用端末機４０が病院内に構築されている内部ネットワーク（イントラネット：Intranet）（以下、簡単に" イントラネット" という）を通じて連結されている医療情報提供システムを一例として説明するが、これに限るのではなく、前記構成要素はインターネットのようなネットワークを通じて相互連結されて運営されることもできる。
【００３２】
この際、前記イントラネットについて簡単に説明すれば次の通りである。
【００３３】
即ち、イントラネットとは、電算環境において、より拡張されたネットワークを構成するために永久的に互いに連結されたネットワークのグループや単一ネットワークのことをいうものであり、前記イントラネットは一グループに所有されるＬＡＮ（または、ＷＡＮ）や公共ネットワークであるインターネットとは若干違う概念である。即ち、ＬＡＮとは異に、インターネット技術を使用しているだけでなく通信用にＴＣＰ／ＩＰを使用しており、インターネットが公共ネットワークである反面、イントラネットは保安壁で侵入者を遮断できる私設ネットワークという差異がある。
【００３４】
また、イントラネットは、各々異なるプロトコルを使用し、かつインテリジェントなビジネス・アプリケーションが実行される幾つかの地域ネットワークを断絶なしに連結する必要があるという点でインターネットより遥かに複雑でありえる。一方、イントラネットに接続したユーザはインターネットに接続できるが、インターネットからイントラネットへは制限され統制された接続のみが許される。
【００３５】
また、前記のように、イントラネットはインターネット標準を使用するという点で一般的なＬＡＮとは異なる。したがって、医師、看護師、または臨床検査室の職員などが各々の端末機を利用してサービス提供システム１０に接続しようとする場合にはインターネット接続方法と同様にウェブ・ブラウザを駆動させて接続することになる。
【００３６】
また、本発明は、前記のように、インターネット基盤のウェブ・ブラウザを使用してサービス提供システムから各種データを利用する方法を採用しているので、医師用端末機２０、看護師用端末機３０、及び臨床検査室の職員用端末機４０の内部の格納媒体には、本発明に係るアプリケーションを駆動するためのいかなるプログラム及びデータを保存する必要もない。
【００３７】
また、前記管理職員用端末機５０とサービス提供システムとの間も上記のようにインターネットまたはイントラネットを通じて接続できるが、本発明では前記管理職員用端末機５０とサービス提供システムとの間はＬＡＮのような一般の内部ネットワークで連結されているものとして説明する。上記のように一般の内部ネットワークで連結された場合には、本発明に係る各種情報の提供を受けるためのソフトウェアが前記管理職員用端末機５０内に搭載されていなければならない。
【００３８】
一方、前記サービス提供システム１０は本発明に係るサービスを提供するためにインターフェース１１、制御部１２、患者情報管理部１３、イメージ情報管理部１４、病院管理用管理部１５、認証管理部１６及び意思決定支援情報管理部１８を含んでいる。
【００３９】
まず、インターフェース１１はネットワークを通じて各端末機２０，３０，４０，５０及び外部公共認証システム６０と接続する機能を遂行する。即ち、前記インターフェース１１は前記医師用端末機２０、看護師用端末機３０、及び臨床検査室の職員用端末機４０とはイントラネットを通じた接続を遂行し、前記端末機からインターネット接続要請がある場合にはインターネット接続を可能にする機能を遂行する。また、前記管理職員用端末機５０とはＬＡＮのような内部ネットワークを通じて接続されている。また、前記のように外部公共認証システム６０とはインターネットを通じて接続されている。
【００４０】
次に、患者情報管理部１３は、医師用端末機２０、看護師用端末機３０、臨床検査室の職員用端末機４０、管理職員用端末機５０のうち、少なくともいずれか一つから入力された患者情報（医療情報）を管理する一方、前記医師用端末機２０から担当患者に対する情報要請がある場合、該当患者の医療情報を抽出して伝送する機能を遂行する。
【００４１】
次に、イメージ情報管理部１４は、前記の各端末機のうちの少なくともいずれか一つから入力されたイメージ情報を管理する一方、医師用端末機２０から担当患者に対するイメージ情報要請がある場合、該当患者のイメージ情報を抽出して伝送する機能を遂行する。この際、前記イメージ情報とは、一般的にＸ線撮影写真、内視鏡写真、ＣＴ撮影写真などのように患者の状態を検査するために撮影された各種写真などを電子的にイメージ化したものをいうものであり、前記のような写真だけでなく、各種書類または写真などをスキャンしてイメージ化したものも含んでいる。
【００４２】
次に、病院管理用管理部１５は、管理職員が管理職員用端末機５０を通じて入力した病院管理関連情報を管理する一方、前記管理職員用端末機５０及び／または別の端末機２０，３０，４０のうちの少なくともいずれか一つから情報の出力要請がある場合、該当端末機に病院管理関連情報を伝送する機能を遂行する。
【００４３】
次に、認証管理部１６はネットワーク（インターネットまたはイントラネット）を通じてサービス提供システム１０に接続する各ユーザに対しての認証を遂行する機能を遂行する。即ち、医師、看護師、臨床検査室の職員、管理職員が端末機を通じてサービス提供システム１０に接続しようとする場合に、接続が許可されたユーザなのかに対する認証手順を遂行して、認証されたユーザのみに接続を許可する機能を遂行する。一方、前記サービス提供システムのように、病院内の患者情報を管理するシステムの場合には、その保安が徹底的に要求され、したがって、院内の認証だけでは不十分な点がありえるので、この場合には前記イントラネットに接続された内部認証システムではない外部の公共認証システム６０を通じて認証手順を遂行することができる。即ち、このような場合には前記認証管理部１６はユーザから認証要請がある場合、前記ユーザの情報をインターネットのようなネットワークを通じて外部公共認証システム６０に伝送して認証手順を遂行した後、その結果によって接続の可否を決定するようにすることができる。
【００４４】
次に、意思決定支援情報管理部１８は前記医師用ウェブ画面、看護師用ウェブ画面、臨床検査室の職員用ウェブ画面を通じて提供される各種意思決定支援（Decision Support）情報を管理する機能を遂行する。この際、前記意思決定支援情報は、医師、看護師、または臨床検査室の職員が患者を診療、看護、または検査を行うことにおいて、参考または熟知する必要がある情報であって、例えば、抗癌剤の種類及び特性、抗生剤の種類及び特性、輸血時の留意事項、薬品の特性及び相互間の作用関係など、各種臨床実験及び蓄積された情報により確認された各種情報である。一方、前記医師、看護師、または臨床検査室の職員は、前記のような意思決定支援情報を利用することによって、患者に対する抗癌剤の種類及び数量の選択、抗生剤の種類及び数量の選択、輸血剤の種類及び数量の選択、投与する薬品の種類、混合可能性及び数量の選択において、判断の根拠資料として活用できることになる。即ち、本発明は、前記のような意思決定支援情報を前記各ウェブ画面を通じて提供することによって、医師、看護師、または臨床検査室の職員が患者を診療または看護する場合に、正しい判断及び選択ができるようにするものである。
【００４５】
最後に、制御部１２は、前記インターフェース及び各部１３，１４，１５，１６，１８を制御する一方、ネットワークを通じて各種情報を前記端末機に伝送したり前記端末機から受信したりする機能を遂行する。
【００４６】
この際、前記インターフェース及び各部１２，１３，１４，１５，１６，１８は、一つのコンピュータまたはサーバーで具現されることができ、各種障害に対応するために補助システムを置くことができる。
【００４７】
一方、以下の説明において、患者の基本的な情報（例えば、住民登録番号、名前、患者番号、性別等）のサービス提供システム１０への最初の登録は、管理職員用端末機５０を通じて遂行できるが、これに限るのではなくて、医師用端末機２０または臨床検査室の職員用端末機４０を通じて登録されてもよい。また、前記の管理職員用端末機５０は前記のようにＬＡＮのような内部ネットワークを通じて前記サービス提供システム１０と接続されている。
【００４８】
以下、図面を参照して医師用端末機２０で行われる医療情報提供方法を説明し、次に図面を参照して看護師用端末機３０で行われる医療情報提供方法を説明した後、図面を参照して臨床検査室の職員用端末機４０で行われる医療情報提供方法について説明する。そして、最後に図面を参照して医師、看護師、及び臨床検査室の職員の意思決定を支援できる医療情報提供方法を説明する。
【００４９】
図２は、本発明に係るオンライン上における医療情報管理方法により提供されるウェブ・ブラウザの画面の一例示図であって、特に医師が医師用端末機２０を通じて前記サービス提供システムに接続して正常なログイン過程を経た場合に各種医療情報を提供するための初期画面の一例示図である。
【００５０】
即ち、前記のように医師はウェブ・ブラウザを通じて前記サービス提供システム１０に接続することができるが、サービス提供システムの内部の認証管理部１６または外部公共認証システム６０を通じて正常な認証過程を経なければ各種情報の提供を受けることはできない。
【００５１】
一方、医師が正常なログインを経てサービス提供システム１０に接続した後、［医師用管理画面］メニューを選択した場合に活性化されるウェブ・ブラウザ画面（以下、簡単に" 医師用ウェブ画面" という）の一例を図２に図示した。即ち、図２に示すように、医師用ウェブ画面は、ユーザ情報表示部１１０、マイ・メニュー部１２０、メイン・メニュー部１３０、患者情報閲覧部１４０、及び患者情報入力部１５０の５つのブロックに大別される。
【００５２】
まず、ユーザ情報表示部１１０は、ログインした医師（ユーザ）の情報を出力することになる。また、前記ユーザ情報表示部１１０には、医師が情報の閲覧及び入力を希望する患者を選択した場合、患者の名前、病院内での患者登録番号、治療科、指定医、主治医などの基本的な情報が表示され、この他にも診断名、手術名、手術日、協診医、処方薬品などに関する情報のうち、該当する事項が出力される。前記に出力される情報は患者情報管理部１３に格納されている情報である。この際、前記のような基本的な患者情報は病院内の患者受付を担当する管理職員により管理職員用端末機５０を通じて入力されたものである。しかしながら、これに限るのではなく、別途の方法により入力されたものであってもよい。一方、患者を選択する方法については下記の図３Ａに対する説明で整理する。
【００５３】
次に、マイ・メニュー部１２０には、各ユーザ（医師）がメイン・メニュー部１３０にある多数のメニューうち、自分がよく使うメニューに対して設定した短縮アイコンが表示されている。即ち、前記マイ・メニュー部１２０を、各医師が自分が希望するメニューをメイン・メニュー部１３０から選択して設定できるようになっており、前記マイ・メニュー部を設定できるメニューは、メイン・メニュー部１３０に備えられている。あるいは、マイ・メニュー部１２０内の" マイ・メニュー（My menu ）" というメニュー・ボタンを利用して構成してもよい。
【００５４】
次に、メイン・メニュー部１３０は医師が利用できる全てのメニューを整理したものであって、その詳細な内容は下記の図４に対する説明で整理する。
【００５５】
次に、患者情報閲覧部１４０は、患者情報管理部１３に格納されている患者の詳細情報を閲覧できるブロックであって、図示されたように、各医師は、外来初診、外来経過、オーダー、検査照会、他科依頼、書式、バイタル・シート（Vital Sheet ）、看護日誌、入院初診、入院結果、手術記録、退院記録などに関する情報を選択して閲覧することができる。一方、図２では未だいかなる情報閲覧も選択されていない状態である白紙状態に表示されている。この際、前記患者情報閲覧部１４０から出力される情報のうち、外来初診、外来結果、入院初診、入院経過などの項目は、医師が患者情報入力部１５０を通じて入力して患者情報管理部１３に格納されている情報が読み出されたものである。一方、前記患者情報閲覧部１４０に対する詳細な内容は下記の図５に対する説明で整理する。
【００５６】
次に、患者情報入力部１５０は医師が患者を診療する途中に必要な各種情報を入力できるブロックであって、外来初診、外来経過、入院初診、入院経過、他科依頼、手術記録、退院記録などのように、全ての医師が共通的に使用する情報を入力できるように構成されている。また、診断書／意見書、書式、精神科診断評価のように、特殊な場合に要求される情報が入力できるメニューも備えられている。一方、前記のように、患者情報入力部１５０を通じて医師が入力した情報はサービス提供システム１０の患者情報管理部１３に格納され、医師が医師用ウェブ画面の患者情報閲覧部１４０のメニューのクリックを通じて該当情報に対する要請をする場合、前記制御部１２は該当情報を抽出して前記医師用ウェブ画面を通じて出力することになるものである。前記患者情報入力部１５０に対する詳細な説明は下記の図５に対する説明で整理する。
【００５７】
図３Ａは、本発明に係るオンライン上における医療情報管理方法により提供されるウェブ・ブラウザ画面のうち、患者選択画面の一例示図であり、図３Ｂは、本発明に係るオンライン上における医療情報管理方法により提供されるウェブ・ブラウザ画面のうち、オーダー入力画面の一例示図である。
【００５８】
医師がログインして図２のような医師用ウェブ画面が活性化される場合において、前記医師用ウェブ画面の出力と同時に患者を選択できるメニュー・ウィンドウ１６０が図３Ａに図示されたように活性化されてもよい。
【００５９】
しかしながら、患者を選択できるメニュー・ウィンドウ（以下、簡単に" 患者選択ウィンドウ" という）１６０は、上記のように医師用ウェブ画面の活性化と同時にポップアップ・ウィンドウ形式で活性化されてもよいが、ユーザ（医師）が図２に図示されたマイ・メニュー部１２０に備えられた患者選択短縮アイコンまたはメイン・メニュー部１３０の患者選択メニューをクリックすることによって活性化されてもよい。
【００６０】
一方、医師は図３Ａに図示された患者選択ウィンドウ１６０に表示された病棟、外来、応急、手術場所、受診患者、診療科、指定医、主治医などの選択メニューを通じて、探そうとする患者を照会することができる。しかしながら、医師といえども全ての患者の情報を全て閲覧できるのではなく、また、全ての患者の情報を修正及び入力できるのではない。即ち、特別な管理を必要とする患者の場合は、患者の情報を閲覧できる医師の範囲を指定医や主治医及びその他の制限された医師に限定することができる。また、大部分の場合、全ての医師が各患者に関する情報を閲覧することを許すようにする一方、患者の情報を修正及び入力する権限においては指定医または主治医のように、制限された人数の医師にのみその権限を与えるようにすることができる。
【００６１】
一方、本発明に係るサービスを提供する病院を初めて訪問して診療を受けようとする初診患者の場合は、病院内の受付窓口にある管理職員用端末機５０を通じて基本的な患者情報が入力された後、患者情報管理部１３に前記患者情報が格納され、これによって、医師は該当患者に関する情報を閲覧できることになる。即ち、病院を訪問した患者についての初期情報は管理職員用端末機５０を通じて入力されてサービス提供システム１３に格納され、以後には各医師または看護師などが患者情報を閲覧及び／または入力できることになる。
【００６２】
また、図示してはいないが、医師はマイ・メニュー部１２０またはメイン・メニュー部１３０で待機患者選択メニューをクリックすることによって、診療日の待機患者名簿を確認することができ、待機順序によって患者情報を読み出すことができる。このような待機患者の名簿は管理職員用端末機５０または医師用端末機２０で日付別に入力しておいた患者の名簿であって、患者情報管理部１３に格納されていることになる。
【００６３】
前記のように、患者選択ウィンドウ１６０または待機患者名簿を通じてユーザ（医師）は診療する患者を選択することになり、診療する患者が選択されれば、図２に図示された医師用ウェブ画面のユーザ情報表示部１１０には選択された患者の名前、性別、年齢、病院内での患者番号、指定医、主治医などの患者情報が出力される。
【００６４】
また、医師が患者を選択することになれば、前記のように、基本的な患者情報がユーザ情報表示部１１０に出力され、これと共に、図３Ｂに図示されたようなオーダー入力ウィンドウ１７０の画面が出力されることができる。前記オーダー入力ウィンドウ１７０は、医師が患者に対する診療結果によって、治療方法、検査依頼、薬調剤依頼、看護方法、注射治療方法などのオーダー（Order ）を該当業務部に指示するための命令を入力できるウィンドウである。
【００６５】
一方、オーダー入力ウィンドウ１７０は、図３Ｂに示すように、オーダーを入力できるオーダー入力部１７１、入力されたオーダーの内容を閲覧できるオーダー閲覧部１７２、及びオーダーと関連して選択できるメニューが集められているオーダー・メニュー部１７３を含んで構成されている。即ち、前記オーダー・メニュー部１７３により選択されて前記オーダー入力部１７１を通じて入力されたオーダー情報はサービス提供システム１０の患者情報管理部１３に格納されており医師の要請があった場合に、オーダー閲覧部１７２を通じて出力される。また、前記オーダー入力ウィンドウ１７０を通じて入力されたオーダーを、看護師、臨床検査室の職員、または管理職員により閲覧できるようにすることによって、前記看護師、臨床検査室の職員、または管理職員はそのオーダー内容による措置を行うことになる。
【００６６】
また、前記オーダー入力ウィンドウ１７０を、前記のように、患者情報出力と同時に活性化されるようにする方法の他にも、患者選択ウィンドウ１６０のように、図２に図示されたマイ・メニュー部１２０に備えられた患者選択短縮アイコンまたはメイン・メニュー部１３０の患者選択メニューがクリックされることによって活性化されてもよい。
【００６７】
図４は、本発明に係るオンライン上における医療情報管理方法により提供されるウェブ・ブラウザ画面のうち、メイン・メニュー部を示す一例示図であって、図２に図示された医師用ウェブ画面のうち、メイン・メニュー部１３０を示すものである。
【００６８】
即ち、メイン・メニュー部１３０のメニュー・ボタン１３１がクリックされると、ツリー形態で構成されているメニュー選択ウィンドウ１３２が活性化される。この際、前記メニュー選択ウィンドウ１３２には医師用ウェブ画面で使用可能な全てのメニューがツリー形態で構成されている。
【００６９】
例えば、マイ・メニュー部１２０の短縮アイコンは、前記メニュー選択ウィンドウ１３２に含まれた環境設定メニューの個人別環境設定メニュー１３３を通じて各ユーザ別に設定可能であり、前記メニュー選択ウィンドウ１３２は、前記環境設定メニュー１３３の他にもオーダー入力ウィンドウ１７０選択メニュー、患者選択ウィンドウ１６０選択メニューのような多様なメニューを含んでいる。但し、患者情報入力部１５０で使われる各種記録選択用紙に対する選択メニューや、患者情報閲覧部１４０で使われる各種記録情報閲覧要請メニューなどは既に定められた様式によって設定されているものであるので、前記メニュー選択ウィンドウ１３２では省略されてもよい。
【００７０】
以下では、患者情報入力部１５０及び患者情報閲覧部１４０について詳細に説明する。
【００７１】
図５は、本発明に係るオンライン上における医療情報管理方法により提供されるウェブ・ブラウザ画面のうち、患者情報入力部の初期画面の一例示図であって、図２に図示された医師用ウェブ画面の患者情報入力部１５０を説明するための例示画面である。
【００７２】
即ち、図５に図示された患者情報入力部１５０は医師が患者を治療する間に記録するべき患者の診療情報を入力できるブロックであって、従来には紙チャートに入力していたものをコンピュータに入力できるように体系的に構成されたものである。このために、前記患者情報入力部１５０は外来初診時の診療結果入力、外来経過に係る診療結果入力、入院初診の場合に必要な情報入力、入院経過によって発生する診療情報入力、他科に患者を依頼するために必要な情報入力、手術に係る患者情報入力、退院時に必要な情報入力のために記録選択欄１５１に外来初診、外来経過、入院初診、入院経過、他科依頼、手術記録、退院記録メニューを含めることができる。
【００７３】
この際、前記メニューは全ての医師達が共通的に使用することができるメニューであり、この他にも医師によっては各種診断書／依頼書を作成する必要があるので、診断書／依頼書メニューが前記記録選択欄１５１に含まれている。また、前記のメニューの他にも各診療科別に要求される書式があり得るが、このような書式に対しては一括的に定型化された様式を作ることはできないので、書式メニューを前記記録選択欄１５１に含めることによって、各診療科別に必要な様式を生成して利用できるようにした。即ち、ユーザ（医師）が前記書式メニューを選択した場合は、別途の定型化された様式が出力されるのではなく、各診療科別に特徴的な書式を直接生成できるようにする様式が出力されるようにすることができる。また、精神科の場合、やはり他の診療科とは種々の異なる形式の書式が求められるので、それに係る書式を別途に管理するために精神科診断評価メニューを前記記録選択欄１５１に含める。
【００７４】
一方、前記記録選択欄１５１の各メニューを通じて入力した患者情報は患者情報閲覧部１４０の各メニューを通じて閲覧できるように構成されている。
【００７５】
以下では、ユーザ（医師）が前記記録選択欄１５１の各メニューを選択した場合の患者情報入力部１５０について説明する一方、それと関連した患者情報閲覧部１４０について説明する。
【００７６】
図６Ａ乃至図６Ｈは、本発明に係るオンライン上における医療情報管理方法により提供されるウェブ・ブラウザ画面のうち、患者情報入力部から外来初診メニューを選択した場合の種々の例示図である。
【００７７】
即ち、図６Ａに示すように、図５に図示された患者情報入力部１５０は、記録選択欄１５１、状態格納部１５３、及び状態入力部１５４の３つの部分に大別される。即ち、患者情報入力部１５０の初期画面には、図５に示すように、記録選択欄１５１のみ表示されるが、前記記録表示欄１５１のうち、いずれか一つのメニューが選択されれば、図６Ａに示すように、状態格納部１５３及び状態入力部１５４が表示される。この際、状態格納部１５３は状態入力部１５４を通じて入力された患者情報をサービス提供システムの患者情報管理部１３に格納するようにしたり、または、入力された情報に対する署名を捺印できるようにしたりする機能を遂行する。
【００７８】
一方、図６Ａに図示された患者情報入力部１５０の記録選択欄１５１、状態格納部１５３は、記録選択欄１５１から選択されたメニューの種類に関係なしに同一な形態で表現されるが、前記状態入力部１５４は記録選択欄１５１から選択されたメニューの種類、または、選択されたメニューに含まれる別のサブメニューによってその形態を異にするようにすることができる。
【００７９】
即ち、図６Ａは、記録選択欄１５１から外来初診メニューを選択した場合に表れる画面であって、外来初診メニューの場合には状態入力部１５４が７つのサブメニューからなる外来初診メニュー部１５４ａと前記外来初診メニュー部により選択された状態情報を入力できるウィンドウ１５４ａ−１０とから構成されていることが分かる。この際、前記外来初診メニュー部１５４ａは外来初診を選択した状態ではその形態が変わらない。但し、前記外来初診メニュー部１５４ａにより選択されたメニューにより、入力ウィンドウ１５４ａ−１０の形態は変わり得る。
【００８０】
この際、前記外来初診メニュー部１５４ａは、主症状（ＣＣ）、現在状態（ＰＩ）、過去病歴１（ＰＨｘ１）、過去病歴２（ＰＨｘ２）、システムのレビュー（ＲＯＳ）、身体検証（ＰＥ）、及び診療計画（Ａ／Ｐ）の７つのサブメニューで構成されており、図６Ａに図示された状態入力部１５４には前記７つのメニューのうちから特に主症状（ＣＣ）メニューを選択した場合の主症状状態入力部１５４ａ−１０が表示されている。
【００８１】
前記主症状状態入力部１５４ａ−１０は、また主症状を選択する部分１５４ａ−１１及び選択された主症状に対する詳細な内容を入力できる部分１５４ａ−１２を含んでいる。また、病院の全体の各診療科で使われる主症状の種類は多様であるので、医師は前記主症状を選択する部分１５４ａ−１１に表示されていない主症状の場合は、主症状を検索できるボタン１５４ａ−１３をクリックして検索することができる。この際、ユーザ（医師）が前記ボタン１５４ａ−１３をクリックした際に提供される情報は、サービス提供システム１０に格納されているものである。
【００８２】
一方、患者の主症状に対して必要な情報を入力した後、医師は状態格納部１５３の格納短縮アイコンを選択することになり、その時に入力された情報はサービス提供システムの患者情報管理部１３に格納される。
【００８３】
次に、図６Ｂに図示された図面はユーザ（医師）が外来初診のサブメニュー１５４ａのうちから現在状態（ＰＩ）メニュー１５４ａ−２２を選択した場合の状態入力部１５４を示すものであって、患者の現在状態に関する各種情報を入力できるウィンドウ１５４ａ−２０が図示されている。
【００８４】
この際、各診療科別に患者の現在状態に対して必要な目録が違う場合があり、したがって、ユーザ（医師）は書式メニュー１５４ａ−２１をクリックした後に表れる選択ウィンドウから希望する書式を選択した後、必要な事項を入力することになる。
【００８５】
また、情報を入力できるウィンドウ１５４ａ−２０に表示された各種情報は、ユーザによりチェックされたり、記入されたりする形式になっている。即ち、図示されたように、ユーザ（医師）が患者の出生地をチェックできたり、または、ディスクリップション（Description ）メニューを選択した場合に表れる入力ウィンドウに該当内容を記入できたりするようになっている。
【００８６】
一方、前記図６Ａに対する説明と同様に、ユーザ（医師）は必要な情報を入力した後には状態格納部１５３で格納短縮アイコンをクリックすることになる。
【００８７】
次に、図６Ｃに図示された図面は、外来初診のサブメニュー１５４ａのうちから過去病歴１（ＰＨｘ１）メニュー１５４ａ−３４を選択した場合の状態入力部１５４を示すものであって、ユーザ（医師）が患者の過去病歴に関する各種情報を入力できるウィンドウ１５４ａ−３０が図示されている。この際、前記入力ウィンドウ１５４ａ−３０は、図６Ｂに対する説明で言及したように、各種項目をチェックできたり、必要な内容を記入できたりするように構成されている（以下の図面に対する説明でも同様に適用される）。
【００８８】
また、図６Ｂに対する説明と同様に、各診療科別に患者の現在状態に対して必要な目録が違う場合があり、したがって、ユーザ（医師）は書式メニュー１５４ａ−３１をクリックした後に表れる選択ウィンドウから希望する書式を選択した後、必要な事項を入力することになる。
【００８９】
一方、図６Ｃでは、患者の過去病歴に対して過去病歴１５４ａ−３２及び社会病歴１５４ａ−３３という小題目で分類してユーザ（医師）が各々該当情報を入力するようにすることによって、患者の過去病歴について詳細に入力できるようになっている。
【００９０】
必要な情報の入力が終了されれば、前記図６Ａに対する説明と同様に、ユーザ（医師）は状態格納部１５３で格納短縮アイコンをクリックすることになる。
【００９１】
次に、図６Ｄに図示された図面は外来初診のサブメニュー１５４ａのうちから過去病歴２（ＰＨｘ２）メニュー１５４ａ−４３を選択した場合の状態入力部１５４を示すものであって、患者の過去病歴に関する情報を入力できるウィンドウ１５４ａ−４０が図示されている。この際、図６Ｄに図示された過去病歴は図６Ｃに図示された過去病歴とは異なる種類のものである。即ち、図６Ｃに図示された過去病歴は患者本人の重要病歴に関する記録であり、図６Ｄに図示された過去病歴には特に妊娠のような重要記録１５４ａ−４１と患者本人の他の家族達の過去病歴１５４ａ−４２に関する情報を入力することになる。
【００９２】
一方、ユーザ（医師）は、前記入力ウィンドウ１５４ａ−４０に必要な情報を入力した後には、前記図６Ａに対する説明と同様に、状態格納部１５３で格納短縮アイコンをクリックすることになる。
【００９３】
次に、図６Ｅに図示された図面は、外来初診のサブメニュー１５４ａのうちからシステムのレビュー・メニュー１５４ａ−５１を選択した場合の状態入力部１５４を示すものであって、特別に分類できない患者の状態情報を入力できるウィンドウ１５４ａ−５０が図示されている。
【００９４】
即ち、前記システムのレビュー・メニュー１５４ａ−５１は前記で説明された患者情報の入力メニュー中のどこにも該当しない患者情報を入力できるようにするためのメニューである。
【００９５】
一方、ユーザ（医師）は前記入力ウィンドウ１５４ａ−５０に必要な情報を入力した後には、前記図６Ａに対する説明と同様に、状態格納部１５３で格納短縮アイコンをクリックすることになる。
【００９６】
次に、図６Ｆに図示された図面は、外来初診のサブメニュー１５４ａのうちから身体検証（ＰＥ）メニュー１５４ａ−６１を選択した場合の状態入力部１５４を示すものであって、患者の外的な健康状態に関する情報を入力できるウィンドウ１５４ａ−６０が図示されている。
【００９７】
また、患者の外部状態についての画像ファイルがある場合には、該当ファイルを添付して格納することができる。この際、入力された画像ファイル情報は患者情報管理部１３またはイメージ情報管理部１４に格納される。
【００９８】
一方、前記入力ウィンドウ１５４ａ−６０に必要な情報を入力した後には、前記図６Ａに対する説明と同様に、ユーザ（医師）は状態格納部１５３で格納短縮アイコンをクリックすることになる。
【００９９】
次に、図６Ｇに図示された図面は、外来初診のサブメニュー１５４ａのうちから診療計画（Ａ／Ｐ）メニュー１５４ａ−７３を選択した場合の状態入力部１５４を示すものであって、ユーザ（医師）が患者に対する診療計画に関する情報を入力できるウィンドウ１５４ａ−７０が図示されている。
【０１００】
即ち、前記ウィンドウ１５４ａ−７０は、ユーザ（医師）が患者に対して初診診察を通じて把握した情報に基づいて、今後該当患者に対していかなる方向に治療を進行するかに関する情報を入力できるようにするためのものである。これを通じて医師は前記患者に関する再診療時に前記入力ウィンドウ１５４ａ−７０を通じて入力した診療計画情報を利用できることになる。
【０１０１】
この際、図６Ｇでは診療計画をアセスメント（Assessment）１５４ａ−７１とプラン（Ｐｌａｎ）１５４ａ−７２の小メニューに区分して作成することができるようになっていることが分かる。
【０１０２】
一方、前記入力ウィンドウ１５４ａ−７０に必要な情報を入力した後には、前記図６Ａに対する説明と同様に、ユーザ（医師）は状態格納部１５３で格納短縮アイコンをクリックすることになる。
【０１０３】
最後に、図６Ｈは、前記図６Ａ乃至図６Ｇを通じて入力された外来初診情報を閲覧する画面状態を図示したものである。
【０１０４】
この際、図２に対する説明で説明された患者情報閲覧部１４０は、図６Ｈに示すように、閲覧メニュー部１４１及び閲覧表示部１４２に区分されており、特にユーザ（医師）が前記図６Ａ乃至図６Ｇを通じて入力された外来初診情報を確認するためには閲覧メニュー部１４１の外来初診メニュー１４１ａを選択することになる。即ち、医師が閲覧メニュー部１４１の外来初診メニュー１４１ａを選択すると、サービス提供システムの制御部１１は患者情報管理部１３から該当患者の外来初診情報を読み出して前記医師の医師用端末機２０に伝送し、閲覧表示部１４２を通じて出力することになる。
【０１０５】
一方、閲覧表示部１４２に出力される情報は、前記のように、患者情報入力部１５０を通じて入力された情報であって、記録選択１５１メニューのうちから外来初診メニューを選択して、７つのサブメニュー、即ち、主症状（ＣＣ）、現在状態（ＰＩ）、過去病歴１（ＰＨｘ１）、過去病歴２（ＰＨｘ２）、システムのレビュー（ＲＯＳ）、身体検証（ＰＥ）、及び診療計画（Ａ／Ｐ）別に入力された情報である。
【０１０６】
したがって、図６Ｈの閲覧表示部１４２に示すように、前記７つのメニュー別に入力された情報が表示されている。
【０１０７】
即ち、図６Ａに図示された主症状（ＣＣ）メニューを通じて入力された情報１４２ａ−１、図６Ｃに図示されたＰＨｘ−１メニューを通じて入力された情報１４２ａ−２、１４２ａ−３、図６Ｅに図示されたＲＯＳメニューを通じて入力された情報１４２ａ−４、及び図６Ｂ、図６Ｄ、図６Ｆ、図６Ｇに図示された過程を通じて入力された情報が図６Ｈの閲覧表示部１４２に図示されている。
【０１０８】
図７は、本発明に係るオンライン上における医療情報管理方法により提供されるウェブ・ブラウザ画面のうち、患者情報入力部から外来経過メニューを選択した場合の一実施形態の画面例示図である。
【０１０９】
まず、外来経過とは、前記図６Ａ乃至図６Ｈを通じて初診を受けた患者がまた再診療を受ける場合に診療内容を記録するための項目であって、外来経過の状態入力部１５４は、図面に示すように、所見を書く欄１５４ｂ−１及びアセスメント＆プラン（Assessment & Plan ）欄１５４ｂ−２に分けられており、各々該当内容を記録できるようになっている。
【０１１０】
この際、医師は患者を診療しながら必要な内容を前記状態入力部１５４の各欄に入力をすることになり、希望する内容を記録した後には、前記図６Ａに対する説明と同様に状態格納部１５３で格納短縮アイコンをクリックすることになる。
【０１１１】
一方、前記のような方法により状態格納部１５３を通じて入力された情報は患者情報閲覧部１４０で閲覧され得る。
【０１１２】
即ち、医師が閲覧メニュー部１４１の外来経過メニュー１４１ｂを選択すると、サービス提供システム１０の制御部は患者情報管理部１３から該当患者の外来経過情報を読み出して前記医師の医師用端末機２０に伝送し、閲覧表示部１４２を通じて出力することになる。
【０１１３】
一方、閲覧表示部１４２に出力される情報は、前記のように、患者情報入力部１５０を通じて入力された情報であって、所見欄１５４ｂ−１及びアセスメント＆プラン（Assessment & Plan 欄）１５４ｂ−２を通じて入力された情報である。
【０１１４】
即ち、図７の状態入力部に図示された所見欄１５４ｂ−１の情報（ＸＸＸＸＸ  ＹＹＹＹＹ  ＺＺＺＺＺ）及びアセスメント＆プラン（Assessment & Plan ）欄１５４ｂ−２の情報（ＡＡＡＡＡ  ＢＢＢＢＢ  ＣＣＣＣＣＣ）が閲覧表示部１４２に表示されている（１４２ｂ−１）。
【０１１５】
この際、前記閲覧表示部１４２には患者情報入力部１５０を通じて入力された最新の情報だけでなく、以前に記録された情報も入力日付別に順次に記録されていて医師は自分が担当している患者の過去及び現在の医療情報を一目で見られるようになっている。即ち、図面に示すように２００３年５月２７日に入力された外来経過情報と２００３年５月３０日に入力された外来経過情報１４２ｂ−１とが順次出力されている。
【０１１６】
図８は、本発明に係るオンライン上における医療情報管理方法により提供されるウェブ・ブラウザ画面のうち、患者情報入力部から入院初診メニューを選択した場合の一実施形態の画面例示図であって、入院した患者に対する初診時の診察内容を記録できるメニューを示したものである。
【０１１７】
この際、図８に図示された入院初診メニューを選択した場合の入力及び閲覧方法は前記図６Ａ乃至図６Ｈで説明された外来初診の場合と類似な方法によりなされる。
【０１１８】
即ち、患者情報入力部１５０の記録選択欄１５１において、入院初診メニューを選択すると、主症状（ＣＣ）、現在状態（ＰＩ）、過去病歴１（ＰＨｘ１）、過去病歴２（ＰＨｘ２）、システムのレビュー（ＲＯＳ）、身体検証（ＰＥ）、及び診療計画（Ａ／Ｐ）の７つのサブメニューを選択できる入院初診メニュー部１５４ｃが出力され、医師は前記７つのサブメニューのうちから希望するメニューを選択した後、必要な情報を入力することになり、入力された内容を格納しようとする場合には状態格納部１５３の格納短縮アイコンをクリックすることになる。この際、各サブメニュー別に前記格納短縮アイコンをクリックすることになり、この際、入力された情報はサービス提供システムの患者情報管理部１３に格納されることになる。
【０１１９】
一方、医師は、前記方法により入力された入院初診情報を閲覧しようとする場合には、前記図６Ｈに対する説明で言及したように、閲覧メニュー部１４１の入院初診メニュー１４１ｃを選択することになり、この際、サービス提供システムの制御部１１は患者情報管理部１３から該当患者の入院初診情報を読み出して前記医師の医師用端末機２０に伝送して、閲覧表示部１４２を通じて出力することになる。
【０１２０】
この際、閲覧表示部１４２には入院初診メニュー内のサブメニューである入院初診メニュー部１５４ｃの各項目別に入力した内容が順次に出力される。即ち、入院初診メニュー部１５４ｃの７つの項目（主症状（ＣＣ）、現在状態（ＰＩ）、過去病歴１（ＰＨｘ１）、過去病歴２（ＰＨｘ２）、システムのレビュー（ＲＯＳ）、身体検証（ＰＥ）、及び診療計画（Ａ／Ｐ））に対する入力内容が出力される。図面では主症状（ＣＣ）に対する内容のみを入力した後、入院初診メニュー１４１ｃを選択したので主症状（ＣＣ）に対する内容（attention deficit ）のみ出力されている。
【０１２１】
図９は、本発明に係るオンライ上における医療情報管理方法により提供されるウェブ・ブラウザ画面のうち、患者情報入力部から入院経過メニューを選択した場合の一実施形態の画面例示図である。
【０１２２】
まず、入院経過とは、入院後に前記図８に図示された画面を通じて初診診療を受けた患者が入院中にまた再診療を受ける場合に、診療内容を記録するための項目であって、入院経過の状態入力部１５４は、図７に図示された外来経過の場合と同様に所見を書く欄１５４ｄ−１及びアセスメント＆プラン（Assessment & Plan ）欄１５４ｄ−２に分けられていて、各々該当内容を記録できるようになっている。
【０１２３】
この際、医師は入院した患者を診療しながら必要な内容を前記状態入力部１５４の各欄に入力して、希望する内容を記録した後には、前記図６Ａに対する説明と同様に状態格納部１５３で格納短縮アイコンをクリックすることになる。
【０１２４】
一方、前記のような方法により状態格納部１５３を通じて入力された情報は患者情報閲覧部１４０から閲覧可能である。
【０１２５】
即ち、医師が閲覧メニュー部１４１の入院経過メニュー１４１ｄを選択すると、サービス提供システム１０の制御部は、患者情報管理部１３から該当患者の入院経過情報を読み出して前記医師の医師用端末機２０に伝送し、閲覧表示部１４２を通じて出力することになる。
【０１２６】
一方、閲覧表示部１４２に出力される情報１４２ｄ−１は、前記したように、患者情報入力部１５０を通じて入力された情報であって、所見欄１５４ｄ−１及びアセスメント＆プラン（Assessment & Plan ）欄１５４ｄ−２を通じて入力された情報である。
【０１２７】
即ち、図９の状態入力部に図示された所見欄１５４ｄ−１の情報及びアセスメント＆プラン（Assessment & Plan ）欄１５４ｄ−２の情報が閲覧表示部１４２に表示されている。
【０１２８】
この際、前記閲覧表示部１４２には前記したように、患者情報入力部１５０を通じて入力された最新の情報だけでなく、以前に記録された情報も入力日付別に順次に記録されていて医師は自分が担当している入院患者の過去及び現在の医療情報を一目で見られるようになっている。即ち、図面に示すように２００３年５月２２日付で入力された入院経過情報と２００３年５月２７日付で入力された外来経過情報１４２ｄ−１とが順次出力されている。
【０１２９】
図１０は、本発明に係るオンライン上における医療情報管理方法により提供されるウェブ・ブラウザ画面のうち、患者情報入力部から他科依頼メニューを選択した場合の一実施形態の画面例示図である。
【０１３０】
まず、他科依頼とは、患者を担当している主治医が別の医師に前記患者に対する診療を依頼しようとする場合に、依頼しようとする別の医師及び依頼内容を入力できるようにするための項目であって、他科依頼の状態入力部１５４は、図１０に示すように依頼しようとする別の医師情報と依頼する医師情報及び患者の基本情報を書く基本事項欄１５４ｅ−１、及び依頼理由を書くことができる依頼理由欄１５４ｅ−２に分けられていて、ユーザ（医師）が各々該当内容を記録できるようになっている。
【０１３１】
この際、前記依頼理由欄１５４ｅ−２はまた担当医師が診療した結果を書く診断欄と依頼しようとする内容を記録できる依頼内容欄とに区分されている。また、Ｘ線写真、ＣＴ撮影写真などの画像ファイルを添付する必要がある場合には、医師は、画像メニュー１５４ｅ−３を通じて希望する画像を添付することができる。
【０１３２】
即ち、前記患者に対する担当医師は、前記患者を診療する間に別の医師の意見を聞いたり、または前記患者の別の異常症候に対して他科の医師に診療を依頼したりする場合には、前記状態入力部１５４に依頼内容を入力して、希望する内容を記録した後には、前記図６Ａに対する説明と同様に、状態格納部１５３で格納短縮アイコンをクリックすることになる。
【０１３３】
一方、前記のような方法により状態格納部１５３を通じて入力された依頼情報は、患者情報閲覧部１４０から閲覧可能である。
【０１３４】
即ち、医師が閲覧メニュー部１４１の他科依頼メニュー１４１ｅを選択すると、サービス提供システムの制御部１１は患者情報管理部１３から該当患者の他科依頼情報を読み出して前記医師の医師用端末機２０に伝送し、閲覧表示部１４２を通じて出力することになる。
【０１３５】
一方、閲覧表示部１４２に出力される情報は前記したように、患者情報入力部１５０を通じて入力された情報であって、基本事項欄１５４ｅ−１及び依頼理由欄１５４ｅ−２を通じて入力された情報である。
【０１３６】
即ち、図１０の状態入力部に図示された基本事項欄１５４ｅ−１の情報及び依頼理由欄１５４ｅ−２の情報が閲覧表示部１４２に表示されており、担当医師は前記患者に対して他科に依頼した内容を確認できることになる。
【０１３７】
この際、前記閲覧表示部１４２には、前記したように、患者情報入力部１５０を通じて入力された最新の情報だけでなく、以前に記録された情報も入力日付別に順次に記録されていて医師は自分が担当している患者に対する過去及び現在の他科依頼内容を一目で見られるようになっている。
【０１３８】
図１１は、本発明に係るオンライン上における医療情報管理方法により提供されるウェブ・ブラウザ画面のうち、患者情報入力部で手術記録メニューを選択した場合の一実施形態の画面例示図である。
【０１３９】
まず、手術記録とは、ユーザ（医師）が患者の診療中に手術を実施した場合、その手術結果に対する内容を記録するための項目であって、手術名、手術前の診断名、麻酔の種類、手術日、執刀医、補助医、手術後の診断名などを入力できる基本事項欄１５４ｆ−１及び手術方法及び手術後の所見を書くことができる手術方法及び所見欄１５４ｆ−２に分けられていて、各々該当内容を記録できるようになっている。
【０１４０】
この際、手術時に撮影された写真やその他の必要な写真がある場合には画像メニュー１５４ｆ−３を通じて希望する画像を添付することができる。
【０１４１】
即ち、医師は自分が担当している患者が手術を受けた場合、手術に係る各種情報を入力して格納することができる。即ち、医師は手術結果に対する内容を入力した後、前記図６Ａに対する説明と同様に、状態格納部１５３で格納短縮アイコンをクリックすることになる。前記のような方法により状態格納部１５３を通じて入力された手術記録情報は患者情報閲覧部１４０から閲覧可能である。
【０１４２】
即ち、医師が閲覧メニュー部１４１の手術記録メニュー１４１ｆを選択すると、サービス提供システムの制御部は患者情報管理部１３から該当患者の手術記録情報を読み出して前記医師の医師用端末機２０に伝送し、閲覧表示部１４２を通じて出力することになる。
【０１４３】
一方、閲覧表示部１４２に出力される情報は、前記したように、患者情報入力部１５０を通じて入力された情報であって、基本事項欄１５４ｆ−１及び手術方法及び所見欄１５４ｅ−２を通じて入力された情報である。
【０１４４】
即ち、図１１の状態入力部に図示された基本事項欄１５４ｆ−１の情報と手術方法及び所見欄１５４ｆ−２の情報が閲覧表示部１４２に表示されており、担当医師は前記患者の手術記録内容を確認できることになる。
【０１４５】
この際、前記閲覧表示部１４２には、前記したように、患者情報入力部１５０を通じて入力された最新の情報だけでなく、以前に記録された情報も入力日付別に順次記録されていて、医師は自分が担当している患者に対する過去及び現在の他科依頼内容を一目で見られるようになっている。
【０１４６】
図１２Ａ及び図１２Ｂは、本発明に係るオンライン上における医療情報管理方法により提供されるウェブ・ブラウザ画面のうち、患者情報入力部から退院記録メニューを選択した場合の一実施形態の画面例示図である。
【０１４７】
まず、退院記録とは、退院する患者に対して入院中の経過内容及び退院後の診療計画などに関する内容を記録するための項目である。この際、前記退院記録は２種類のメニューに大別される。即ち、図１２Ａに示すように、病歴要約１５４ｇ−２及び入院経過１５４ｇ−３に関する内容を入力できる退院要約メニュー１５４ｇ−６と図１２Ｂに示すように入院結果１５４ｇ−８及び今後の計画１５４ｇ−９に関する内容を入力できる退院計画メニュー１５４ｇ−１２に分けられる。
【０１４８】
即ち、ユーザ（医師）が記録選択欄１５１から退院記録メニューを選択した場合に出力される状態入力部１５４には退院記録メニュー部１５４ｇ−５が出力されるが、図１２ａは前記退院記録メニュー部１５４ｇ−５から退院要約メニュー１５４ｇ−６が選択された場合の画面であり、図１２Ｂは退院計画メニュー１５４ｇ−１２が選択された場合の画面である。
【０１４９】
まず、退院要約メニュー１５４ｇ−６が選択された場合に表れる図１２Ａには、前記したように、ユーザ（医師）が病歴要約１５４ｇ−２及び入院経過１５４ｇ−３に関する内容を入力できる欄があるが、前記病歴要約欄１５４ｇ−２は患者の病歴を入力する欄であり、前記入院経過欄１５４ｇ−３は入院中に発生した重要内容を入力できる欄である。一方、各診療科別に記録しなければならない内容には差がある場合があるので、この場合、ユーザ（医師）は書式メニュー１５４ｇ−１を通じて希望する書式を選択することができる。即ち、各科で使われる独特の退院記録書式がある場合、ユーザ（医師）はサービス提供システムに該当書式を格納しておいてから前記書式メニューを通じて希望する書式を読み出して、必要な内容を入力して、入力された内容は患者情報管理部１３に格納される。一方、前記で別途の書式メニューを選択できるようにした全ての場合において、出力される書式は、別途のシステムにより作成されて前記サービス提供システムに格納されているものである場合もあるが、前記書式メニューを通じて医師が直接作成したものである場合もある。
【０１５０】
この際、入力された内容を格納する方法としては、前記したように、ユーザ（医師）が状態格納部１５３で格納メニューをクリックすればよい。
【０１５１】
一方、退院要約メニューが選択された場合の状態入力部１５４には画像メニュー１５４ｇ−４があり、入院中に患者から生成された各種イメージなどが添付されてもよい。
【０１５２】
前記のような入力過程により格納された患者の退院記録情報は、前記したように、サービス提供システムの患者情報管理部１３に格納され、医師は閲覧メニュー部１４１の退院記録メニュー１４１ｇを選択して前記情報を閲覧することができる。この際、図１２Ａは、前記退院記録メニュー１４１ｇが選択されていない場合の画面を表したものであり、入力過程を経た後、退院記録メニュー１４１ｇが選択された場合の画面は図１２Ｂに図示した。即ち、ユーザが退院要約に係る情報のみを入力した後、退院記録メニュー１４１ｇを選択すると、退院要約に関する情報のみを見ることができ、退院計画情報を入力した後、退院記録メニュー１４１ｇを選択すると、退院要約及び退院計画情報を全て見られることになる。逆に、退院計画情報のみを入力した場合には退院計画情報のみ見ることができる。
【０１５３】
一方、退院計画メニュー１５４ｇ−１２が選択された場合に表れる図１２Ｂには、前記したように、入院結果１５４ｇ−８及び今後の計画１５４ｇ−９に関する内容を入力することができる欄があるが、前記入院結果欄１５４ｇ−２は入院に係る結果が入力される欄であって、治療結果、予後、ＣＧＩなどに関する情報が入力可能であり、前記今後の計画欄１５４ｇ−９は退院後の診療計画に関する内容が入力される欄であって、外来予約時の指定医及び診療日などが選択できるようになっている。一方、図１２Ｂに示すように、退院計画メニューでの状態入力部１５４には退院場所及び結果に関する情報を入力することができる欄１５４ｇ−１０があるが、ここには療養所に退院するか、でなければ家に退院するかに関する情報が表示可能であり、ユーザ（医師）が退院後にまた診療を受けるために来た患者の状態を見た後、退院状態が良好であるかどうかを入力するようにすることができる。
【０１５４】
また、図１２Ａの退院要約メニューと同様に、図１２Ｂの退院計画メニューの状態入力部１５４にも書式メニュー１５４ｇ−７があって、ユーザ（医師）は希望する退院計画書式を選択することができる。
【０１５５】
また、ユーザ（医師）は希望する全ての内容を入力した後には、前記したように、状態格納部１５３の格納短縮アイコンをクリックすることによって入力した内容を患者情報管理部１３に格納することになる。以後、医師は入力された情報を患者情報閲覧部１４０を通じて閲覧できることになる。
【０１５６】
即ち、医師が閲覧メニュー部１４１の退院記録メニュー１４１ｇを選択すると、サービス提供システムの制御部１１は患者情報管理部１３から該当患者の退院記録情報を読み出して前記医師の医師用端末機２０に伝送し、閲覧表示部１４２を通じて出力することになる。
【０１５７】
一方、閲覧表示部１４２に出力される情報は前記したように、患者情報入力部１５０を通じて入力された情報であって、図１２Ａの状態入力部に図示された病歴要約１５４ｇ−２及び入院経過１５４ｇ−３情報と共に、図１２Ｂの状態入力部に図示された入院結果１５４ｇ−８及び今後の計画１５４ｇ−９情報が表示されている。
【０１５８】
図１３は、本発明に係るオンライン上における医療情報管理方法により提供されるウェブ・ブラウザ画面のうち、患者情報入力部から診断書／依頼書メニューを選択した場合の一実施形態の画面例示図である。
【０１５９】
まず、診断書／依頼書メニューは、ユーザ（医師）が診療を受けるために来た患者に対して各種診断書や依頼書を作成する必要がある場合に使用するようにするためのものである。
【０１６０】
例えば、医師が患者に対して健康診断書を発給する必要がある場合に、医師は記録選択欄１５１から診断書／依頼書メニューを選択することになり、この際、状態入力部１５４には発給可能な診断書／依頼におけるメニューが出力される。即ち、状態入力部１５４には診断書英文、診断書国文、健康診断書、健康診断書英文、所見書等、多様な種類の診断書／依頼書メニューが出力されて、医師は前記メニューのうちから健康診断書を選択することになる。
【０１６１】
医師が健康診断書メニューを選択すると、図１３に示すように、健康診断書入力用ポップアップ・ウィンドウ１５４ｈ−２が出力されて、医師は該当内容を入力することになる。
【０１６２】
一方、前記に説明された各メニューに対する格納方法は医師が状態格納部１５３の格納短縮アイコンをクリックすることであったが、診断書／依頼書の場合には図面に示すようにポップアップ・ウィンドウ１５４ｈ−２にあるメニュー１５４ｈ−３に格納短縮アイコンをクリックするようになっている。また、前記状態格納部１５３には診断書／依頼書入力画面を終了する終了ボタンがある。
【０１６３】
また、直ちに出力して発給しようとする場合には、前記メニュー１５４ｈ−３から出力メニューを選択すればプリンタで前記健康診断書を出力することができる。
【０１６４】
図１４は、本発明に係るオンライン上における医療情報管理方法により提供されるウェブ・ブラウザ画面のうち、患者情報入力部から書式メニューを選択した場合の一実施形態の画面例示図である。
【０１６５】
まず、書式メニューとは、前記図６Ａ乃至図１３に図示された書式に含まれていない書式メニューを選択できるようにしたメニューである。即ち、前記に言及されたメニューは診療科に関係なしに共通的に使われるものということができ、前記書式メニューはその中で欠落されている書式を集めたメニューということができる。
【０１６６】
また、図示されてはいないが、図５に図示された記録選択欄１５１の精神科診断評価メニューも特殊な診療科に必要なメニューであって、書式メニューと類似な方法で提供されてもよい。
【０１６７】
即ち、医師は記録選択欄１５１から書式メニューを選択することができ、この際、状態入力部１５４には書式が選択できるメニュー１５４ｉ−１が出力される。即ち、医師が前記メニュー１５４ｉ−１を選択すると、各種書式メニューがポップアップ・ウィンドウに出力されて、医師は希望する書式を選択することができる。
【０１６８】
医師が希望する書式を選択すれば状態入力部１５４には選択された書式が出力される。即ち、図１４では、前記ポップアップ・ウィンドウからエピワース・スリーピング・スケール（Epiworth Sleeping Scale ）メニューを選択した場合であって、該当書式が状態入力部１５４に出力されていることが分かる。
【０１６９】
一方、医師は患者との相談などを通じて前記状態入力部１５４に出力された書式に必要な項目をチェックし、必要な項目をチェックした後には状態格納部１５３の格納短縮アイコンをクリックすることになる。この際、入力された内容はサービス提供システムの患者情報管理部１３に格納され、前記のような方法により入力された情報は患者情報閲覧部１４０で閲覧できることになる。
【０１７０】
即ち、医師が閲覧メニュー部１４１の書式メニュー１４１ｉを選択すると、サービス提供システムの制御部１１は患者情報管理部１３から該当患者の書式情報を読み出して前記医師の医師用端末機２０に伝送し、閲覧表示部１４２を通じて出力することになる。
【０１７１】
前記では図５乃至図１４を通じて患者情報入力部１５０の各メニューについて詳細に説明した。それと関連した患者情報閲覧部１４０の各メニューについても詳細に説明した。
【０１７２】
以下では、前記に説明されていない患者情報閲覧部１４０及びユーザ情報表示部１１０の別のメニュー及び機能について図１５を参照しつつ説明する。
【０１７３】
図１５は、本発明に係るオンライン上における医療情報管理方法により提供されるウェブ・ブラウザ画面のうち、患者情報閲覧部及びユーザ情報表示部を説明するための一実施形態の画面例示図である。
【０１７４】
即ち、前記で説明したように、本発明に係る医師用ウェブ画面は、ユーザ情報表示部１１０、マイ・メニュー部１２０、メイン・メニュー部１３０、患者情報閲覧部１４０、及び患者情報入力部１５０に大別され、前記ではこの中の患者情報入力部１５０を主にして患者情報閲覧部１４０と共に説明した。
【０１７５】
一方、前記に説明された患者情報閲覧部１４０は、図１５に示すように、閲覧メニュー部１４１と閲覧表示部１４２に分けられ、閲覧メニュー部１４１のサブメニューのうち、前記で説明されていないサブメニューが図示されている。
【０１７６】
即ち、閲覧メニュー部１４１には前記で説明されたメニューの他にも、受診履歴１４１−１、記録紙履歴１４１−２、オーダー１４１−３、検査照会１４１−４、バイタル・シート（Vital Sheet ）１４１−５及び看護日誌１４１−６に対するサブメニューが更に含まれている。
【０１７７】
まず、受診履歴１４１−１は、患者が診療を受けた履歴を閲覧できるようにしたものであって、医師が前記受診履歴１４１−１メニューを選択すると、前記患者が診療受けた全ての履歴を表示したポップアップ・ウィンドウが現れることになる。
【０１７８】
次に、記録紙履歴１４１−２は、前記で説明された方法により医師が患者情報が入力された履歴を閲覧できるようにしたものであって、前記記録紙履歴１４１−２メニューを選択すると、前記患者に対して前記記録選択欄１５１の各メニュー別に記録された履歴を表示したポップアップ・ウィンドウが現れることになる。
【０１７９】
次に、オーダー１４１−３は、図３Ｂに図示されたようなオーダー入力ウィンドウ１７０を通じて入力されたオーダーの内容を医師が閲覧できるようにしたものであって、医師が前記オーダー１４１−３メニューを選択すると、閲覧表示部１４２に入力されたオーダー内容が出力されることになる。
【０１８０】
次に、検査照会１４１−４は、前記患者に対して各種検査を通じて入力された情報を医師が閲覧できるようにしたものである。即ち、検査照会１４１−４は、臨床検査室の職員用端末機４０を通じて入力されて患者情報管理部１３に格納されている検査結果内容を医師が閲覧できるようにしたものであって、医師が前記検査照会１４１−４メニューを選択すると、前記患者情報管理部１３に格納されている各種検査結果に対する内容が閲覧表示部１４２に出力されることになる。
【０１８１】
最後に、バイタル・シート（Vital Sheet ）１４１−５及び看護日誌１４１−６は看護師用端末機３０により入力された情報であって、例えば患者の体温、体重、血圧など看護師が測定した内容に関する情報を医師が閲覧しようとする場合には、バイタル・シート（Vital Sheet ）１４１−５メニューを選択することになり、看護師が一般的に患者を看護しながら記録した看護日誌に対する内容を閲覧しようとする場合には、看護日誌１４１−６メニューを選択することになる。即ち、看護師により入力された前記情報は患者情報管理部１３に格納されており、医師が前記メニューを選択した場合に閲覧表示部１４２またはポップアップ・ウィンドウに出力されることになる。
【０１８２】
一方、ユーザ情報表示部１１０について説明すれば次の通りである。
【０１８３】
即ち、ユーザ情報表示部１１０には図２に関する説明で言及されたように、ログインした医師の名前及び入力日付を含んだ情報１１０−１が出力され、ログインした前記医師が図３Ａに図示された方法により患者を選択した場合には患者の情報１１０−２と共に前記患者が属した診療科及び指定医と主治医に関する情報１１０−３が出力される。
【０１８４】
また、図１５に示すように、ユーザ情報表示部１１０にはメニュー部１１０−４が出力されているが、前記メニュー部は患者または診療医師に対して追加的に詳細な情報を入力または閲覧できるようにしたものである。
【０１８５】
即ち、図１５には前記メニュー部１１０−４のサブメニューとして、協診医、処方薬品、患者情報、アラート（Alert ）、及びリマインダ（Reminder）を含んでいる。
【０１８６】
まず、協診医メニューは、前記患者に対して主治医の他の別の医師が指定されている場合に、ユーザが該当医師を確認できるようにしたメニューである。
【０１８７】
次に、処方薬品メニューは、ユーザが前記患者に対して処方された薬に関する情報を確認できるようにしたメニューである。
【０１８８】
次に、患者情報メニューは、ユーザ（医師）がユーザ情報表示部１１０を通じて出力された患者情報１１０−２より詳細な患者情報を確認できるようにしたメニューである。
【０１８９】
最後に、アラート（Alert ）メニュー及びリマインダ（Reminder）メニューは、医師が前記患者の診療において重要な事項に対してチェックできるようにしたものであって、アラート（Alert ）メニューの場合には、患者がアレルギー反応がある場合にそれをチェックすることができ、副作用がある薬品に対する使用を禁止するようにするメッセージを入力することもでき、妊娠の可否に対する項目をチェックすることもできる。即ち、前記アラート（Alert ）メニューは患者を診療する間に発生した患者の特異情報を医師が直接入力できるようにしたものである。また、前記リマインダ（Reminder）メニューは、以後の診療過程において医師が確認しなければならない事項を入力するためのものである。即ち、前記アラート（Alert ）メニュー及びリマインダ（Reminder）メニューは、医師が直接患者を診療する間に必要な情報を入力できるようにしたものであって、入力された情報は患者情報管理部１３に格納され、前記メニューを選択した場合にポップアップ・ウィンドウを通じて出力される。
【０１９０】
一方、協診医、処方薬品、患者情報に関するメニューも医師が該当メニューを選択すると、ポップアップ・ウィンドウを通じて画面照会または入力画面が出力され得る。この際、医師が直接入力して患者情報管理部１３に登録することもできるし、その他の端末機３０，４０，５０により前記患者情報管理部１３に格納されている内容を確認することもできる。
【０１９１】
即ち、前記のような本発明に係るオンライン上における医療情報管理方法を利用することによって、医師は患者に関する診療情報を、診療即時に、ネットワークを通じて患者情報管理部１３に格納することができ、希望する場合にはいつでも前記患者情報を閲覧することができる。
【０１９２】
また、医師は、看護師、臨床検査室の職員、または一般職員に患者の診療に必要な各種オーダーをネットワークを通じて伝送できるだけでなく、看護師、臨床検査室の職員、または一般職員が入力した各種患者情報をいつでも検索できることになる。
【０１９３】
以下、図面を参照しつつ看護師用端末機３０で実行される医療情報提供方法、即ち看護師が前記看護師用端末機３０を通じてサービス提供システム１０に正常に接続した場合に、前記看護師用端末機３０を通じて提供される本発明に係るオンライン上における医療情報管理方法について説明する。
【０１９４】
図１６は、オンライン上における医療情報管理方法により提供されるウェブ・ブラウザ画面の一例示図であって、看護師が看護師用端末機３０を通じて前記サービス提供システムに接続して正常なログイン過程を経た場合に各種医療情報を管理するための初期画面の一例示図である。
【０１９５】
即ち、前記のように、看護師は看護師用端末機３０のウェブ・ブラウザを通じて前記サービス提供システム１０に接続することができるが、サービス提供システムの内部の認証管理部１６または外部公共認証システム６０を通じて正常に認証過程を経なければ各種情報の提供を受けることはできない。
【０１９６】
一方、看護師が正常なログインを経てサービス提供システム１０に接続した後、［看護師用管理画面］メニューを選択した場合に活性化するウェブ・ブラウザ画面（以下、簡単に" 看護師用ウェブ画面" という）の一例を図１６に図示した。図１６に示すように看護師用ウェブ画面はユーザ情報表示部２１０、マイ・メニュー部２２０、メイン・メニュー部２３０、患者選択部２４０、及び患者情報入出力部２５０の５つのブロックに大別される。
【０１９７】
まず、ユーザ情報表示部２１０はログインした看護師の情報（ユーザ）を表示する。また、接続した看護師が情報の閲覧及び入力を希望する患者を選択した場合には、患者の名前、病院内での患者登録番号、治療科、指定医、主治医などの基本的な情報が表示され、この他にも、診断名、手術名、協診医、処方薬品などに関する情報のうち、該当する事項が表示される。この際、前記に出力される情報は患者情報管理部１３に格納されている情報である。これに対する詳細な説明は図１９に対する説明で整理することにする。また、患者を選択する方法については下記の図１７Ａ及び図１７Ｂに対する説明で整理する。
【０１９８】
次に、マイ・メニュー部２２０は、各ユーザ（看護師）がメイン・メニュー部２３０にある多数のメニューのうち、自分がよく使うメニューに対して設定した短縮アイコンを表示している。即ち、前記マイ・メニュー部２２０は各看護師が自分が希望するメニューをメイン・メニュー部２３０から選択して設定できるようになっており、前記マイ・メニュー部を設定できるメニューはメイン・メニュー部１３０に備えられていても、図面に示すようにマイ・メニュー部内の" マイ・メニュー（My menu ）" というメニュー・ボタンで構成されていてもよい。また、前記マイ・メニュー部２２０に表示されている短縮アイコンは、基本的によく使われるメニューであって、既に設定されている場合もある。
【０１９９】
次に、メイン・メニュー部２３０は看護師が利用できる全てのメニューを整理したものであって、その詳細な内容は下記の図１８に対する説明で整理する。
【０２００】
次に、患者選択部２４０は、患者情報管理部１３に格納されている患者情報のうちから看護師が情報検索を希望する患者を選択できるようにするためのブロックであって、これに対する詳細な説明は下記の図１７Ａ及び図１７Ｂに対する説明で整理する。
【０２０１】
次に、患者情報入出力部２５０は看護師が患者を看護する途中に必要な各種情報を入力したり確認したりできるようにしたブロックであって、図１６は、まだ患者を選択しない段階を示しており、基本的にオーダー内容を確認することができるウィンドウが活性化されている。  
【０２０２】
一方、前記のように、患者情報入出力部２５０を通じて看護師が入力した情報はサービス提供システム１０の患者情報管理部１３に格納され、看護師が看護師用ウェブ画面のマイ・メニュー部２２０またはメイン・メニュー部２３０のメニューのクリックを通じて該当情報に対する要請をする場合、前記制御部１２が該当情報を抽出して前記看護師用ウェブ画面を通じて出力することになる。前記患者情報入出力部２５０の多様な実施形態は図２０乃至図２４に対する説明で整理する。
【０２０３】
図１７Ａ及び図１７Ｂは、本発明に係るオンライン上における医療情報管理方法により提供されるウェブ・ブラウザ画面のうち、患者選択部の一例示図である。
【０２０４】
即ち、看護師がログインして図１６のような看護師用ウェブ画面が活性化される場合、看護師は自分が担当している患者のうちから情報を希望する患者を前記患者選択部２４０を通じて選択することができる。
【０２０５】
この際、図１７Ａに示すように、看護師が第１患者選択ボタン２４０−１をクリックすると、病棟、応急、外来、手術場所、透析、注射処置などのメニューが活性化されて、病棟を担当している看護師である場合には病棟を選択することになる。同様に、応急室で勤める看護師である場合には応急室を、手術室にいる看護師である場合には手術場所を選択する。
【０２０６】
看護師が図１７Ａに図示された画面で病棟を選択した場合には図１７Ｂに示すように第２患者選択ボタン２４０−２が表示され、前記ボタンをクリックすると、病院内の各病棟が表示され、この際、看護師が自分が担当している病棟を選択すると、図１７Ｂに示すように該当病棟の患者目録２４０−３が出力される。看護師は前記患者の目録２４０−３の中から情報を希望する患者を選択することになる。
【０２０７】
一方、前記第２患者選択ボタン２４０−２は、第１患者選択ボタン２４０−１でどのメニューを選択したかによってそれぞれ異なる形態で出力される。即ち、ユーザが手術場所を選択した場合には手術室を選択できるメニューが表示され、外来の場合には担当医師を選択できるメニューが表示される。即ち、前記第２患者選択ボタン２４０−２の形態は前記第１患者選択ボタン２４０−１から選択されたメニューによってそれぞれ異なる形態で表示される。
【０２０８】
しかしながら、看護師といっても全ての患者の情報を全て閲覧、修正、または入力できるものではない。即ち、特別に管理する必要がある患者の場合には患者の情報を閲覧できる看護師の範囲を該当病棟または病室の担当看護師に限定することができる。また、大部分の場合、全ての看護師が各患者に関する情報を閲覧することは許可する一方、患者の情報を修正及び入力する権限においては担当看護師のみにその権限を許可するようにすることができる。
【０２０９】
一方、本発明に係るサービスを提供する病院を初めて訪問して診療を受けようとする初診患者の場合には、病院内の受付窓口にある管理職員用端末機５０を通じて基本的な患者情報が入力された後、患者情報管理部１３に前記患者情報が格納されて、看護師は該当患者に関する情報を閲覧できることになる。即ち、病院を訪問した患者に関する初期情報は病院内の受付を担当する職員が利用する管理職員用端末機５０を通じて入力されてサービス提供システム１３に格納され、以後には各医師または看護師などが患者情報を閲覧及び入力できることになる。
【０２１０】
図１８は、本発明に係るオンライン上における医療情報管理方法により提供されるウェブ・ブラウザ画面のうち、メイン・メニュー部を示す一例示図であって、図１６に図示された看護師用ウェブ画面のうち、メイン・メニュー部２３０を活性化させた画面を示す図である。
【０２１１】
即ち、看護師がメイン・メニュー部２３０のメニュー・ボタン２３１をクリックすると、ツリー形態で構成されているメニュー選択ウィンドウ２３２が活性化される。この際、前記メニュー選択ウィンドウ２３２には看護師用ウェブ画面で使用される全てのメニューがツリー形態で構成されている。
【０２１２】
例えば、マイ・メニュー部２２０の短縮アイコンはメニュー選択ウィンドウ２３２の環境設定メニューを通じて各ユーザ別に設定され、投薬時間管理、主治医登録、オーダー照会などのようなメニュー等もツリー形態で前記メニュー選択ウィンドウ２３２に表示されている。
【０２１３】
図１９は、本発明に係るオンライン上における医療情報管理方法により提供されるウェブ・ブラウザ画面のうち、患者を選択した場合のユーザ情報表示部を示す一例示図であって、図１７Ｂの画面で看護師が情報検索を希望する患者を選択した場合のユーザ情報表示部２１０を説明するための例示画面である。  
【０２１４】
即ち、看護師が患者選択部２４０の患者目録２４０−３から「イ  ヨン  セ（Lee Yong-Se ）」という患者の目録２４０−４を選択すると、看護師用ウェブ画面のユーザ情報表示部２１０には前記患者に関する情報が表示される。
【０２１５】
この際、ユーザ情報表示部２１０には、図１６に対する説明で言及したように、ログインした看護師の名前及び接続日付を含む情報２１０−２が出力され、選択された患者の情報２１０−１と共に前記患者が属した診療科及び指定医と主治医に関する情報２１０−３が出力される。
【０２１６】
また、図面に示すように、ユーザ情報表示部２１０にはメニュー部２１０−４が出力されているが、前記メニュー部２１０−４によって、患者または診療医師に関する追加の詳細な情報を入力または閲覧することができる。
【０２１７】
即ち、図１９には、前記メニュー部２１０−４のサブメニューとして、協診医、処方薬品、患者情報、アラート（Alert ）、及びリマインダ（Reminder）が図示されている。
【０２１８】
まず、協診医メニューは、前記患者に対して主治医の他の別の医師が指定されている場合に看護師が該当医師を確認できるようにしたメニューである。
【０２１９】
次に、処方薬品メニューは、看護師が前記患者に対して処方した薬に関する情報を確認できるようにしたメニューである。
【０２２０】
次に、患者情報メニューは、看護師がユーザ情報表示部２１０を通じて出力された患者情報２１０−１より詳細な患者情報を確認できるようにしたメニューである。  
【０２２１】
最後に、アラート（Alert ）メニュー及びリマインダ（Reminder）メニューは、看護師が前記患者の診療において重要な事項に対してチェックできるようにしたものであって、アラート（Alert ）メニューの場合には患者にアレルギー反応がある場合にそれをチェックすることができ、副作用がある薬品に対する使用を禁止するようにするメッセージを入力しておくこともできる。妊娠の可否に対する項目をチェックしておくこともできる。即ち、前記アラート（Alert ）メニューは患者を診療する間に発生した患者の特異情報を看護師が直接入力及び閲覧できるようにしたものである。また、前記リマインダ（Reminder）メニューは、以後の患者看護において看護師が一度くらいは確認しなければならない事項に対して入力しておくことができるようにしたものである。即ち、前記アラート（Alert ）メニュー及びリマインダ（Reminder）メニューは看護師が直接患者を診療する間に必要な情報を入力をするためのものであって、入力された情報は患者情報管理部１３に格納され、前記メニューを選択した場合にポップアップ・ウィンドウを通じて出力される。
【０２２２】
一方、協診医、処方薬品、患者情報に関するメニューも該当メニューを選択すると、ポップアップ・ウィンドウを通じて画面照会または入力画面が出力される、この際、看護師が直接入力して患者情報管理部１３に登録することもできるし、その他の端末機２０，４０，５０により前記患者情報管理部１３に格納されている内容を確認することもできる。
【０２２３】
その他、前記ユーザ情報表示部２１０には患者に対する診断名及び手術名が表示される。
【０２２４】
一方、前記のように、患者が選択されると、ユーザ情報表示部２１０を通じて患者情報が表示され、マイ・メニュー部２２０の各メニューも使用可能な状態に活性化される。
【０２２５】
即ち、患者が選択された後に看護師は前記マイ・メニュー部２２０またはメイン・メニュー部２３０の各種患者管理メニューを通じて患者に関する情報を入力または閲覧できるようになる。
【０２２６】
一方、前記マイ・メニュー部２２０のサブ短縮アイコンは、前記のように修正不可能にセッティングされていてもよいし、逆に、使用する看護師により追加及び削除されてもよい。
【０２２７】
図面では、オーダー遂行、看護日誌、臨床観察、重患者看護日誌、看護活動遂行、初期看護情報、退院看護計画、手術前看護状態確認表、看護日誌及び看護活動照会、患者位置移動確認、処置発行、食事発行及び照会、検査結果照会、退院進行など、２０個の短縮アイコンが表示されており、以下では、図２０乃至図２４を参照して、前記短縮アイコンのうち、看護師が患者を看護する間によく使用することになる短縮アイコンについて説明する。この際、前記短縮アイコンにより活性化される患者情報入出力部２５０は前記短縮アイコンによってだけでなく、メイン・メニュー部２３０のメニューによっても活性化される。
【０２２８】
図２０は、本発明に係るオンライン上における医療情報管理方法により提供されるウェブ・ブラウザ画面のうち、マイ・メニュー部でオーダー遂行短縮アイコンを選択した場合の例示図である。
【０２２９】
即ち、看護師がマイ・メニュー部２２０のオーダー遂行短縮アイコン２２０ａを選択すると、図２０に示すように患者情報入出力部２５０にはオーダー２５０ａ−５が出力される。
【０２３０】
この際、前記オーダー２５０ａ−５は、前記患者の担当医師が医師用端末機２０を通じて入力した内容であって、サービス提供システムの患者情報管理部１３に格納されていたものである。
【０２３１】
一方、オーダー遂行短縮アイコンにより出力された患者情報入出力部２５０にはオーダー２５０ａ−５だけでなく、遂行時間、薬受付時間などの項目も表示されており、そのオーダーをチェックするのに使用される業務確認ボタン２５０ａ−１及び翌日のオーダー確認ボタン２５０ａ−２と前日のオーダー確認ボタン２５０−３が表示されており、前記ボタンを通じて内容をチェックした後、元の画面に復帰できるようにする画面復帰ボタン２５０ａ−４も表示されている。
【０２３２】
即ち、前記のようなオーダーの確認を通じて、看護師は患者に対して医師が指示したオーダーを遂行することになる。
【０２３３】
図２１Ａ及び図２１Ｂは、本発明に係るオンライン上における医療情報管理方法により提供されるウェブ・ブラウザ画面のうち、マイ・メニュー部で看護日誌短縮アイコンを選択した場合の例示図である。この際、図２１Ａは、看護日誌に看護師が該当内容を入力する状態を示す図であり、図２１Ｂは、入力された内容が出力される状態を示す図である。
【０２３４】
即ち、看護師がマイ・メニュー部２２０の看護日誌短縮アイコン２２０ｂを選択すると、図２１Ａに示すように患者情報入出力部２５０には日付別に患者を看護する間に発生する内容を入力できる入力ウィンドウが出力され、看護師は前記入力ウィンドウで該当内容（例、大便をした）２５０ｂ−２を選択してクリックし、この際、選択された内容は看護日誌欄に表示される。
【０２３５】
一方、前記入力ウィンドウは、図２１Ｂに示すように、病棟と共有ホルダー２５４ｂ−４に区分されていて、各病棟別に必要なサブメニューを整理したり、または、病院の全体で使われるメニューに整理したりすることができる。例えば、図２１Ａに図示された入力ウィンドウには、病棟ホルダーで該当患者が属している病棟を選択した場合に表れる目録が表示されている。
【０２３６】
上記のように入力した内容を看護師が看護日誌欄で確認した後、格納ボタン２５０ｂ−１をクリックすると、入力された内容は患者情報管理部１３に格納される一方、図２１Ｂに示すように、看護日誌表示欄２５０ｂ−３に表示される。
【０２３７】
また、入力された内容が看護問題と関連した場合には別途のウィンドウ２５０ｂ−５を通じて表示され、看護活動と関連した場合も別途のウィンドウ２５０ｂ−６を通じて出力されるようにすることができる。また、最近に入力された看護日誌の内容を確認するためのウィンドウ２５０ｂ−７が表示されてもよい。
【０２３８】
即ち、前記のような看護日誌の内容の入力及び出力を通じて看護師は各日付別に患者の状態をチェックできるようになる。
【０２３９】
図２２は、本発明に係るオンライン上における医療情報管理方法により提供されるウェブ・ブラウザ画面のうち、マイ・メニュー部で臨床観察短縮アイコンを選択した場合の例示図である。
【０２４０】
即ち、マイ・メニュー部２２０の臨床観察短縮アイコン２２０ｃを選択すると、図２２に示すように、患者情報入出力部２５０には日付及び時間別に患者の臨床状態を入力して確認することができる入出力ウィンドウが出力され、看護師は前記入出力ウィンドウを通じて患者の各種臨床状態情報を入力し確認することができるのである。この際、臨床情報とは、患者の体重、体温、小便量、摂取量などのような情報をいうものである。
【０２４１】
一方、前記患者情報入出力部２５０の入出力ウィンドウは、大きくチャート表示欄２５０ｃ−２と数値を入力できる欄２５０ｃ−３とから構成されていて、看護師が前記数値入力欄２５０ｃ−３を通じて該当内容を入力して格納ボタン２５０ｃ−５を押せば、入力された内容が患者情報管理部１３に格納され、前記入力欄２５０ｃ−３を通じて出力される。入力された内容が前記チャート表示欄２５０ｃ−２を通じて出力できる情報である場合には前記チャート表示欄を通じてチャート形式で出力される。
【０２４２】
また、看護師は前記入力欄２５０ｃ−３に新しい項目を追加しようとする場合には可変項目設定ボタン２５０ｃ−４を選択して追加しようとする項目を入力することができる。この際、入力された内容は前記入力欄２５０ｃ−３に追加されて表示される。
【０２４３】
また、前記入力欄２５０ｃ−３の項目の増加により、拡大しようとした場合や、チャート表示欄２５０ｃ−２を必要としない場合には、看護師はチャート隠しボタン２５０ｃ−６をクリックする。この際、チャートは表示されないで入力欄のみが患者情報入出力部２５０に表示される。
【０２４４】
また、図面に示すように、患者の臨床情報を活力徴候／身体計測、摂取量／排泄量及び精神科患者評価メニュー２５０ｃ−１に区分して、それぞれの患者情報を入力することができる。一方、図２２に図示された患者情報入出力部２５０の入力欄２５０ｃ−３には前記メニュー２５０ｃ−１のうち、摂取量／排泄量メニューを選択した場合の項目が出力されている。
【０２４５】
即ち、前記のような臨床観察内容の入力及び出力を通じて看護師は患者の各種臨床情報を日付及び時間別にチェックすることにより、より正確な患者の状態を把握できることになる。
【０２４６】
図２３は、本発明に係るオンライン上における医療情報管理方法により提供されるウェブ・ブラウザ画面のうち、マイ・メニュー部で看護活動遂行短縮アイコンを選択した場合の例示図である。
【０２４７】
即ち、マイ・メニュー部２２０の看護活動遂行短縮アイコン２２０ｄを選択すると、図２３に示すように、患者情報入出力部２５０には日付別に看護師が実施しなければならない各種活動項目がチェックされる。
【０２４８】
この際、前記活動項目は、看護師が直接入力しておいたものでもよいし、医師が指示した事項でもよい。一方、看護師は前記内容によって看護活動を遂行する一方、遂行した活動に対するチェックを行うことによって、患者の看護時に錯誤により抜ける可能性がある内容を点検できることになる。
【０２４９】
図２４は、本発明に係るオンライン上における医療情報管理方法により提供されるウェブ・ブラウザ画面のうち、マイ・メニュー部で食事発行及び照会短縮アイコンを選択した場合の例示図である。
【０２５０】
即ち、看護師がマイ・メニュー部２２０の食事発行及び照会短縮アイコン２２０ｅを選択すると、図２４に示すように、患者情報入出力部２５０には患者に発行するべき献立の種類が出力される。
【０２５１】
この際、患者に対して発行するべき献立には患者本人の献立だけでなく、保護者の食事及び補助食に関する情報も共に出力されてもよい。
【０２５２】
また、前記献立に関する情報は、医師または看護師が医師用端末機２０または看護師用端末機３０を通じて各患者別に指定して入力した情報であってもよいし、臨床検査室の職員用端末機４０または管理職員用端末機５０を通じて栄養士により入力された情報であってもよい。上記のように入力された情報は患者情報管理部１３に格納されており、前記患者情報入出力部２５０を通じて出力されるものである。
【０２５３】
即ち、看護師は、飲食物を調理する過程で前記献立情報を確認することによって、各患者に適切な献立が割り当てられたかどうかを確認することによって、患者の看護に支障が無いようにすることができる。
【０２５４】
一方、前記で言及されたマイ・メニュー部２２０のメニューの他にも患者の看護に必要な多様なメニューがあり、看護師は該当メニューを選択して該当内容を閲覧できるだけでなく、必要な場合には新しい内容を入力することによって、患者の状態変化に能動的に対処することができる。
【０２５５】
即ち、前記のような本発明に係るオンライン上における看護師用医療情報管理方法を利用することによって、看護師は患者に関する看護情報を、看護即時に、ネットワークを通じて患者情報管理部１３に格納することができ、希望する場合にはいつでも前記患者情報を閲覧することができる。
【０２５６】
また、看護師は、医師、臨床検査室の職員、または一般職員に患者の看護に必要な各種オーダーをネットワークを通じて伝送できるだけでなく、医師、臨床検査室の職員または一般職員が入力した各種患者情報をいつでも検索することができる。
【０２５７】
以下、図面を参照して臨床検査室の職員用端末機４０で実行される医療情報提供方法、即ち各種臨床検査室の職員が前記臨床検査室の職員用端末機４０を通じてサービス提供システム１０に正常に接続した場合に、前記臨床検査室の職員用端末機４０を通じて提供される本発明に係るオンライン上における医療情報管理方法について説明する。
【０２５８】
この際、以下で説明される臨床検査室用医療情報管理方法において、検査要請の有無を確認して検査結果を入力する主体は臨床検査室の職員であるが、その検査結果を閲覧したり、その検査結果の解釈に基づくデータを入力したりする主体は、臨床検査室の職員だけではなく医師または看護師もなることができる。従って、本発明に係る方法は、臨床検査室の職員用端末機４０に限って提供されるのではない。即ち、医師用端末機２０及び看護師用端末機３０を通じても検査結果は処理される。したがって、以下では本発明に係る臨床検査室用医療情報管理方法を利用することになる前記臨床検査室の職員、医師、看護師を含む概念である" 検査要員" という名称を使用する。ただし、臨床検査室の職員、医師、看護師を区分しなければならない必要がある場合には各々該当名称を使用することにする。
【０２５９】
一方、本発明が適用される検査は、その遂行業務によって４つに大別される。即ち、機能検査、リハビリテーション、健康診断のための健康検査、及び放射線治療の４つの分野に区分される。機能検査は、心電図検査、筋電図検査、脳波検査など、各診療科別に割り当てられた機能検査を含む。リハビリテーション医学検査は、物理治療及び作業治療のための検査を含む。健康検査は、健康増進のための種々の健康診断検査を含む。放射線治療の検査は、放射線治療のための種々の検査を含む。以下では、前記機能検査、リハビリテーション、健康検査、及び放射線治療の４つの業務分野で実行できるオンライン上における医療情報管理方法について各々図面を参照して説明する。
【０２６０】
図２５Ａ乃至図２５Ｅは、本発明に係るオンライン上における医療情報管理方法のうち、機能検査の医療情報管理方法により提供されるウェブ・ブラウザ画面の多様な例示図である。即ち、検査のうち、特に機能検査で遂行される各種検査内容を入力したり閲覧したりできるようにするためのウェブ・ブラウザ画面の例示図である。
【０２６１】
まず、図２５Ａは、検査要員が自分の端末機を通じて前記サービス提供システムに接続して正常なログイン過程を経た後、前記４つのメニューのうち、機能検査を選択した場合に各種医療情報を提供するための初期画面の一例示図である。
【０２６２】
即ち、前記のように、検査要員は自分の端末機のウェブ・ブラウザを通じて前記サービス提供システム１０に接続することができ、サービス提供システムの内部の認証管理部１６または外部公共認証システム６０を通じて正常に認証過程を経なければ各種情報の提供を受けることはできない。
【０２６３】
一方、検査要員が正常なログインを経てサービス提供システム１０に接続して、［臨床検査室の職員用管理画面］メニューを選択した後、［機能検査］メニューを選択した場合に活性化されるウェブ・ブラウザ画面（以下、簡単に" 臨床検査室用ウェブ画面" という）の一例を図２５Ａに図示した。図２５Ａに示すように、臨床検査室用ウェブ画面は、ユーザ情報表示部３１０ａ、メイン・メニュー部３３０ａ、及び患者情報入出力部３５０ａの３つのブロックに大別される。
【０２６４】
この際、ユーザ情報表示部３１０ａは、ログインした検査要員の情報を出力する。また、ユーザ情報表示部３１０ａは接続した検査要員が情報の閲覧及び入力を希望する患者を選択した場合には、患者の名前、病院内での患者登録番号、治療科、指定医、主治医などの基本的な情報を表示し、この他にも診断名、検査履歴、受診履歴などを照会できる情報を表示する。また、種々の臨床検査室がある場合には、検査要員が種々の臨床検査室のうちから１つを検索できる健康検査室メニューが表示される。この際、前記のような基本的な患者情報は病院内の患者受付を担当する一般職員により管理職員用端末機５０を通じて入力されたものである。一方、検査要員は図示されたような" 患者番号" メニューをクリックした場合に出力される患者選択ウィンドウから情報の入力及び閲覧を希望する患者を選択することができる。
【０２６５】
また、メイン・メニュー部３３０ａは検査要員が利用できるメニューを羅列して置いたものであって、前記メニューのうち、重要なメニューについては下記の図２５Ｂ乃至図２５Ｅに対する説明で整理する。
【０２６６】
また、患者情報出力部３５０ａは、検査要員が該当患者に関する各種情報を入力したり確認したりできるようにしたブロックであって、下記の図２５Ｂ乃至図２５Ｅに対する説明で共に整理する。
【０２６７】
一方、前記のように、患者情報入出力部３５０ａを通じて検査要員が入力した情報はサービス提供システム１０の患者情報管理部１３に格納され、検査要員が臨床検査室用ウェブ画面のメイン・メニュー部３３０ａのメニューのクリックを通じて該当情報に対する要請をする場合、前記制御部１２は該当情報を抽出して前記臨床検査室用ウェブ画面を通じて出力する。この際、入力された情報がイメージである場合にはイメージ情報管理部１４に前記イメージを別途に格納及び管理することができる。
【０２６８】
次に、図２５Ｂは、前記メイン・メニュー部３３０ａのメニューのうちからオーダー照会メニュー３３０ａ−１を選択した場合の臨床検査室用ウェブ画面を示すものであって、検査要員が希望する患者を選択した後、前記オーダー照会メニュー３３０ａ−１を選択すると、前記患者に対して医師または看護師が要請したオーダー（Order ）がオーダー照会メニュー用患者情報入出力部３５０ａ−１を通じて出力される。即ち、医師または看護師が患者を診療する間に要請した検査項目内容が前記患者情報入出力部３５０ａ−１を通じて出力される。この際、出力されるオーダーの内容は医師用端末機２０または看護師用端末機３０を通じて入力され患者情報管理部１３に格納されている情報である。即ち、検査要員、特に実際に検査を遂行することになる臨床検査室の職員は前記患者に対するオーダーを確認した後、それによって必要な検査を遂行することになる。
【０２６９】
次に、図２５Ｃは、前記メイン・メニュー部３３０ａのメニューのうちから登録メニュー３３０ａ−３を選択した場合の臨床検査室用ウェブ画面を示すものであって、検査要員が前記登録メニュー３３０ａ−３を選択すると、患者に対する検査項目及び検査日程を登録することができる患者情報入出力部３５０ａ−３が出力されることになり、検査要員は前記入出力部３５０ａ−３に該当内容を入力することによって患者に対する臨床検査室の登録を完了することになる。即ち、検査要員は患者に対するオーダーを閲覧してそれに係る検査を実施できるだけでなく、患者に対する検査受付を入力したり閲覧したりすることができる。
【０２７０】
次に、図２５Ｄは、前記メイン・メニュー部３３０ａのメニューのうちから施行メニュー３３０ａ−４を選択した場合の臨床検査室用ウェブ画面を示すものであって、検査要員が前記施行メニュー３３０ａ−４を選択すると、検査が必要な患者に対して遂行しなければならない検査の目録を確認して検査施行結果をチェックできる施行用患者情報入出力部３５０ａ−４が出力されることになり、検査要員は前記入出力部３５０ａ−４に該当内容を入力することによって患者に対する検査施行を完了することになる。
【０２７１】
即ち、図２５Ｄに表示された施行メニューに係る画面は、該当検査科の臨床検査室に依頼された検査のうち、登録された検査を実施処理する画面であって、前記入出力部３５０ａ−４の左上部は前記図２５Ｃで説明された登録方法により該当臨床検査室に登録された患者のリストを出力する部分であり、左下部は該当日付のオーダーのうち、該当臨床検査室でない他の受付窓口で登録処理された患者のリストを表したのである。この際、検査要員が前記患者リストから希望する患者を選択すると、該当患者に該当するオーダー・リストが右側に出力され、出力されたオーダー・リストを確認してそれに係る検査を実施し、施行チェック欄にチェックした後、格納ボタンをクリックすると、該当検査が実施されたものとして、患者情報管理部１３に格納されることになる。この際、検査要員は検査過程の間に特異事項に関する情報も入力することができる。
【０２７２】
即ち、検査要員は患者に対するオーダーを閲覧してそれに係る検査を実施できるだけでなく、患者に対する検査受付を入力したり閲覧したりすることもできる。
【０２７３】
一方、前記で説明したメニューの他にもメイン・メニュー部３３０には、予約照会、検査予約、統計、検査コード管理、検査シール予約生成、臨床検査室予約、臨床検査室情報登録、及び臨床検査室登録のような多様なメニューがあり、このようなメニューは臨床検査室を訪問する患者を管理したり多数の臨床検査室を体系的に管理したりするためのものである。即ち、検査要員が検査を施行する患者に関する情報を入力または閲覧したり、検査を実施した患者の情報（テキストまたはイメージ）を入力または閲覧したり、各臨床検査室別に必要な情報を登録したりできるようにするメニューである。
【０２７４】
この際、検査を実施した患者の情報が特にＸ線写真、ＣＴ撮影写真、超音波写真などのようなイメージ情報である場合には、前記イメージをコンピュータで検索できるイメージに変換してイメージ情報入力メニューを通じてイメージ情報管理部１４に格納する。即ち、検査装置により直ちにコンピュータで検索できるイメージで出力される場合には、臨床検査室の職員用端末機４０は前記検査装置から該当イメージを読み出して前記臨床検査室用ウェブ画面のイメージ登録メニューを通じて直ちに入力する。直接入力が可能でない場合にはスキャナーのようなイメージ処理が可能な装置を利用してコンピュータで検索できるイメージに変換されたイメージ情報を入力する。一方、前記過程により入力された情報はイメージ管理部１５に格納され、医師、看護師、または臨床検査室の職員の要請がある場合に、該当端末機に伝送されて出力される。
【０２７５】
最後に、図２５Ｅは、前記メイン・メニュー部３３０ａのメニューのうちから検査要員が解釈メニュー３３０ａ−５を選択した場合の臨床検査室用ウェブ画面を示すものであって、検査要員（医師）が前記解釈メニュー３３０ａ−５を選択すると、選択された患者に対して実施された検査の内容を閲覧できる患者情報入出力部３５０ａ−５が出力されることになり、医師は前記入出力部３５０ａ−５によって出力された検査結果を解釈することになる。
【０２７６】
この際、図示されてはいないが、検査結果に対する各種数値または資料が前記入出力部３５０ａ−５の右側画面に出力されることになり、医師は前記数値または資料を検索しながら各数値または資料によって該当チェック欄にチェックをすることによって前記検査結果を解釈することになる。
【０２７７】
即ち、臨床検査室の職員は前記のようなメニューを通じて要請されたオーダーによって患者に対する検査を実施することができ、医師は実施された検査内容を解釈することによって患者に対する正確な検査結果を抽出することができ、それによって、患者に対する診療を遂行することができる。
【０２７８】
図２６Ａ乃至図２６Ｄは、本発明に係るオンライン上における医療情報管理方法のうち、リハビリテーションの医療情報管理方法により提供されるウェブ・ブラウザ画面の多様な例示図である。即ち、検査のうち、特にリハビリテーションにおいて遂行される各種内容を入力したり閲覧したりできるようにするためのウェブ・ブラウザ画面の例示図である。この際、以下で説明されるリハビリテーションの医療情報管理方法と前記で説明された機能検査の医療情報管理方法との相違点は、前記機能検査で施行される医療情報管理方法では検査結果を医師が解釈する過程が伴われるものであるが、リハビリテーションの医療情報管理方法は、物理治療、作業治療のような治療のためのものであって、解釈のような手順が必ずしも遂行されるのではないという点である。
【０２７９】
まず、図２６Ａは、検査要員が自分の端末機を通じて前記サービス提供システムに接続して正常なログイン過程を経た後、前記４つのメニューのうちからリハビリテーションを選択した場合に各種医療情報を提供するための初期画面の一例示図である。
【０２８０】
即ち、前記のように、検査要員は自分の端末機のウェブ・ブラウザを通じて前記サービス提供システム１０に接続することができ、サービス提供システムの内部の認証管理部１６または外部公共認証システム６０を通じて正常な認証過程を経なければ各種情報の提供を受けることはできない。
【０２８１】
一方、検査要員が正常なログインを経てサービス提供システム１０に接続して、［臨床検査室の職員用管理画面］メニューを選択した後、［リハビリテーション］メニューを選択した場合に活性化される臨床検査室用ウェブ画面の一例を図２６Ａに図示した。図２６Ａに示すように、臨床検査室用ウェブ画面はユーザ情報表示部３１０ｂ、メイン・メニュー部３３０ｂ、及び患者情報入出力部３５０ｂの３つのブロックに大別される。
【０２８２】
この際、ユーザ情報表示部３１０ｂは図２５Ａで説明した内容と同一であるので省略し、その他にも以下で前記図２５Ａに対する説明と重複する内容については省略したり簡単化したりして説明する。
【０２８３】
また、メイン・メニュー部３３０ｂは、検査要員が利用できるメニューを羅列しておいたものである。
【０２８４】
また、患者情報入出力部３５０ｂは、検査要員が該当患者に対して各種情報を入力したり確認したりできるようにしたブロックである。
【０２８５】
即ち、リハビリテーションにおける医療情報管理方法に使われるメイン・メニューとしては、図面に示すように、退院患者照会、新患照会、受付、治療師割当、治療予定照会、治療、及び統計などがありえる。
【０２８６】
この中で、退院患者照会は検査要員が病院のリハビリテーション科に登録されている患者の中から退院患者があるかどうかを確認するためのものであり、新患照会は新しくリハビリテーション科に登録された患者を検索するためのメニューである。
【０２８７】
また、図２６Ｂに図示された登録メニュー３３０ｂ−１は、検査要員が患者をリハビリテーション科に登録するためのメニューであって、図２６Ｂに図示されたような画面を通じて検査要員が患者を登録することになる。この際、リハビリテーションの実施にかかる費用を直接計算して確認するようにすることもできる。また、前記図２６Ｂに図示された画面を通じて登録された患者情報及び料金内容は、患者情報管理部１３または病院管理用管理部１６に各々格納される。
【０２８８】
また、図２６Ｃに図示された画面は、リハビリテーションを受ける必要がある患者に対して、各々治療を担当する治療師が割り当てられるようにする画面である。即ち、リハビリテーション科の担当者は、図２６Ｃに図示されたような治療師割当画面で治療師割当メニュー３３０ｂ−２を選択することになる。この際、治療師が割り当てられるウィンドウ３５０ｂ−２が出力され、担当者は患者情報及び治療内容によって各患者別に治療師を割り当てることになる。この際、割り当てられた治療師の情報は患者情報と共に患者情報管理部１３に格納される。
【０２８９】
また、図２６Ｄに図示された画面は、治療を受けなければならない患者の目録と治療の可否をチェックできる画面である。即ち、各治療師は治療メニュー３３０ｂ−３を選択した後、自分に割り当てられた患者の目録を確認し、それによって治療を遂行した後、その遂行結果を治療用患者情報入出力部３５０ｂ−３に入力することになる。
【０２９０】
前記メニューの他にも治療予定メニューは、検査要員が治療が予定された患者に関する情報を閲覧できるようにしたメニューであり、統計メニューは検査要員が治療に係る各種情報に関する統計処理を遂行できるようにするメニューである。
【０２９１】
即ち、前記のようなメニューを通じて臨床検査室の職員は要請された治療オーダーによって患者に対する治療を遂行することができ、その結果を記録することによって医師または看護師は、前記患者に対して正常に治療がなされたかどうかを確認できることになる。
【０２９２】
図２７Ａ乃至図２７Ｄは、本発明に係るオンライン上における医療情報管理方法のうち、健康検査の医療情報管理方法により提供されるウェブ・ブラウザ画面の多様な例示図であって、検査要員が検査のうちの特に健康検査において遂行される各種内容を入力したり閲覧したりできるようにするためのウェブ・ブラウザ画面の例示図である。この際、以下で説明される健康検査の医療情報管理方法は医師による患者の治療とは関係なしに健康検査を受けようとするユーザに対して健康検査申請を受けて、その検診結果を入力するという点で、前記図２５Ａ乃至図２５Ｅ及び図２６Ａ乃至図２６Ｄで説明されたような医師のオーダーにより遂行される検査または治療とはその性格が違うと言える。しかしながら、各種検査を遂行するという点では類似していると言える。
【０２９３】
まず、図２７Ａは、検査要員が自分の端末機を通じて前記サービス提供システムに接続して正常なログイン過程を経た後、前記４つのメニューのうちから健康検査を選択した場合に各種医療情報を提供するための初期画面の一例示図である。
【０２９４】
即ち、前記のように、検査要員は自分の端末機のウェブ・ブラウザを通じて前記サービス提供システム１０に接続することができ、サービス提供システムの内部の認証管理部１６または外部公共認証システム６０を通じて正常な認証過程を経なければ各種情報の提供を受けることはできない。
【０２９５】
一方、検査要員が正常なログインを経てサービス提供システム１０に接続して、［臨床検査室の職員用管理画面］メニューを選択した後、［健康検査］メニューを選択した場合に活性化される臨床検査室用ウェブ画面の一例を図２７Ａに図示したし、図２７Ａに示すように、臨床検査室用ウェブ画面はユーザ情報表示部３１０ｃ、メイン・メニュー部３３０ｃ、及び患者情報入出力部３５０ｃの３つのブロックに大別される。
【０２９６】
この際、ユーザ情報表示部３１０ｃは、図２５Ａで説明した内容と同一であるので省略し、その他にも以下の前記図２５Ａに対する説明と重複する内容については省略したり簡単化したりして説明する。
【０２９７】
また、メイン・メニュー部３３０ｃは検査要員が利用できるメニューを羅列しておいたものである。この際、図２７Ａに図示された臨床検査室用ウェブ画面では図２５Ａまたは図２６Ａに図示されたものとは異なり、メイン・メニュー・ボタンがあり、前記メイン・メニュー・ボタンをクリックすると、全体メニューがツリー形態で現れることが分かる。
【０２９８】
また、患者情報入出力部３５０ｃは検査要員が該当患者に関する各種情報を入力したり確認したりできるようにしたブロックである。
【０２９９】
即ち、健康検査の医療情報管理方法に使われるメイン・メニューは、健康検査予約管理、健康検査、健康検査判定管理、及びマスター管理の４つに大別され、前記メニューの各々にはサブメニューがありえる。
【０３００】
まず、健康検査予約管理メニューと関連した内容を説明すれば次の通りである。
【０３０１】
即ち、検査要員がメイン・メニュー部３３０ｃで健康検査予約メニューを選択すると、図２７Ｂのような健康検査予約画面が出力される。この際、図２７Ｂに図示された画面は健康検査予約を登録する画面であって、検査要員が該当患者を登録した後、患者が希望するパッケージを選択して格納することができ、患者が追加的な検査を希望する場合には追加検査を選択するようにすることができる。
【０３０２】
即ち、図２７Ｂの健康検査予約用患者情報入出力部３５０ｃの左側上段部にはパッケージ種類選択欄３５０ｃ−１があり、検査要員は患者が希望する健康検査のパッケージを選択することになる。この際、前記パッケージとは、健康検査に含まれる多数の検査目録を年齢別、性別、現在の健康状態別等に区分して各分類別に健康検査項目を指定しておいたものをいう。このように検査項目をパッケージ化することによってユーザは容易に必要な健康検査を受けることになる。
【０３０３】
一方、前記パッケージ種類選択欄３５０ｃ−１を通じてパッケージの種類が選択されると、それによる追加オーダー及び臨床検査室の目録が患者情報入出力部３５０ｃの左下部に出力される。即ち、前記パッケージと関連して追加的に受けることができる検査項目が出力される。検査要員は患者の選択によって追加的な検査オーダーを発行することができる。また、検査要員は追加オーダーを実施する臨床検査室を選択したり指定したりすることができる。
【０３０４】
最後に、検査要員が健康検査を実施する日付を選択した後に予約登録をすることによって、入力されたパッケージ及びユーザ情報などが患者情報管理部１３に格納される。
【０３０５】
この際、図示してはいないが、検査要員が前記メイン・メニュー部３３０ｃのオーダー発行メニューを選択すると、健康検査の他に実施する検査に対するオーダーを発行できる。即ち、健康検査を申請した患者が別途の検査を追加的に希望する場合に、検査要員が検査オーダーを発行できるようにしたものである。
【０３０６】
また、図２７Ｃに図示された画面は健康検査を実施するための画面であって、図面に示すように、患者情報入出力部３５０ｃの左側には健康検査を受診する患者の情報が出力され、その右側には実施される健康検査の目録が出力されることになる。この際、臨床検査室の職員は前記目録によって検査を実施することになり、検査項目に対するコメント及び検査結果を入力することができる。入力された情報は患者情報管理部１３に格納される。
【０３０７】
また、図２７Ｄに図示された画面は、検査要員が健康検査を実施した後にその結果を閲覧できる画面であって、図面に示すように患者情報入出力部３５０ｃの左側には健康検査を受診した患者の情報が出力され、その右側には実施された健康検査の結果が出力される。この際、出力される検査結果は前記患者情報管理部１３に格納されている情報である。
【０３０８】
即ち、上記のように、検査要員は健康検査を受けようとする患者に対する予約を受け、それによって検査を実施し、その結果を照会することができる。
【０３０９】
この他にもメイン・メニュー部３３０ｃに図示された多様なメニューにより、検査要員は患者に対する健康検査を遂行して、その結果を入力して照会できる。
【０３１０】
図２８Ａ及び図２８Ｂは、本発明に係るオンライン上における医療情報管理方法のうち、放射線治療の医療情報管理方法により提供されるウェブ・ブラウザ画面の例示図であって、検査のうちの特に放射線治療で遂行される各種内容を入力したり閲覧したりできるようにするためのウェブ・ブラウザ画面の例示図である。
【０３１１】
この際、以下で説明される放射線治療の医療情報管理方法は前記で説明された機能検査またはリハビリテーションの医療情報管理方法と類似する方法により運営される。但し、放射線治療は、前記機能検査またはリハビリテーションとは本質的に異なる検査または治療を扱うため、放射線治療の医療情報管理方法と、機能検査またはリハビリテーションの医療情報管理方法とは別途に区別する必要があるものである。
【０３１２】
したがって、以下で説明される放射線治療の医療情報管理方法は、そのメニュー体系及び表現方式では相違し得るが、前記した機能検査またはリハビリテーションの医療情報方法を活用することによってなされる。
【０３１３】
まず、図２８Ａは、検査要員が自分の端末機を通じて前記サービス提供システムに接続して正常なログイン過程を経た後、前記４つのメニューのうちから放射線治療を選択した場合に各種医療情報を提供するための初期画面の一例示図である。
【０３１４】
即ち、前記のように、検査要員は自分の端末機のウェブ・ブラウザを通じて前記サービス提供システム１０に接続することができ、サービス提供システムの内部の認証管理部１６または外部公共認証システム６０を通じて正常な認証過程を経なければ各種情報の提供を受けることはできない。
【０３１５】
一方、検査要員が正常なログインを経てサービス提供システム１０に接続して、［臨床検査室の職員用管理画面］メニューを選択した後、［放射線治療］メニューを選択した場合に活性化される臨床検査室用ウェブ画面の一例を図２８Ａに図示した。図２８Ａに示すように臨床検査室用ウェブ画面はユーザ情報表示部３１０ｄ、メイン・メニュー部３３０ｄ、及び患者情報入出力部３５０ｄの３つのブロックに大別される。
【０３１６】
この際、ユーザ情報表示部３１０ｄは、図２５Ａで説明した内容と同一であり、ただし、出力される情報の内容は相異してもよい。
【０３１７】
また、メイン・メニュー部３３０ｄは、検査要員が利用可能なメニューを羅列しておいたものである。この際、図２８Ａに図示された臨床検査室用ウェブ画面では、図２５Ａまたは図２６Ａに図示されたものとは異なり、メイン・メニュー・ボタンがあり、前記メイン・メニュー・ボタンをクリックすると、全体メニューがツリー形態で現れることが分かる。
【０３１８】
また、患者情報入出力部３５０ｄは、検査要員が該当患者に関する各種情報を入力したり確認したりできるようにしたブロックである。
【０３１９】
一方、放射線治療の医療情報管理方法に使われるメイン・メニューは、図２８Ｂに示すように多様に構成される。前記機能検査またはリハビリテーションの医療情報管理方法で説明されたように、患者の登録及び予約、登録確認、放射線治療の実行及び結果入力、放射線治療の結果解釈及び閲覧などのメニューがある。
【０３２０】
即ち、検査要員は、図２８Ｂに図示されたようなメイン・メニュー部３３０ｄから希望するメニューを選択して出力される患者情報入出力部３５０ｄを通じて放射線治療と関連した各種情報を入力したり閲覧したりできることになる。
【０３２１】
一方、前記で説明された本発明に係るオンライン上における臨床検査室用医療情報管理方法を利用することによって、臨床検査室の職員は患者に対する検査または治療結果情報を、検査または治療即時に、ネットワークを通じて患者情報管理部１３に格納することができ、臨床検査室の職員、医師、または看護師は、希望する場合にはいつでも前記患者情報を閲覧することができる。
【０３２２】
また、臨床検査室の職員は、医師、看護師、または一般職員に患者の検査または治療に必要な各種オーダーをネットワークを通じて伝送できるだけでなく、医師、看護師、または一般職員が入力した各種患者情報をいつでも検索することができる。
【０３２３】
一方、前記のような医師、看護師、及び臨床検査室の職員の端末機で具現される医療情報管理方法により、医師、看護師、及び臨床検査室の職員は、ネットワークを通じて患者の診療、看護、検査及び治療結果を共有できることになるので、より迅速、かつ、正確に患者に対する診療が行われることになる。
【０３２４】
以下、図面を参照しつつ医師、看護師、及び臨床検査室の職員の意思決定を支援できる医療情報提供方法を説明する。
【０３２５】
図２９Ａ乃至図２９Ｃは、本発明に係る医療情報提供方法が適用されるウェブ画面の多様な例示図であって、図２９Ａは医師が医師用端末機２０を通じて前記サービス提供システムに接続して正常なログイン過程を経た場合に現れる医師用ウェブ画面の初期画面の例示図であり、図２９Ｂは看護師が看護師用端末機３０を通じて前記サービス提供システムに接続して正常なログイン過程を経た場合に現れる医師用ウェブ画面の初期画面の例示図であり、図２９Ｃは臨床検査室の職員が臨床検査室用端末機４０を通じて前記サービス提供システムに接続して正常なログイン過程を経た場合に現れる臨床検査室用ウェブ画面の初期画面の例示図である。
【０３２６】
即ち、医師、看護師、または臨床検査室の職員は前記のようなウェブ画面を通じて患者に関する各種情報を入力できるだけでなく、閲覧することができ、場合によっては前記情報を共有するようにすることができる。
【０３２７】
一方、以下で説明される医療情報提供方法は、患者に関する各種情報を入力したりオーダー（Order ）を発行したりすることにおいて、参考または熟知しなければならない各種意思決定支援（Decision Support）情報を前記医師用ウェブ画面、看護師用ウェブ画面、または臨床検査室用ウェブ画面（以下、簡単に" ユーザ・ウェブ画面" という）を通じて提供するためのものである。即ち、医師、看護師、または臨床検査室の職員は前記ユーザ・ウェブ画面のメイン・メニュー部１３０，２３０，３３０ａまたは別途の選択ボタンを通じて提供される各種意思決定支援メニューを選択した場合に活性化されるウェブ画面を通じて、各種意思決定支援情報の提供を受けることができ、それによって各種情報を入力したりオーダー（Order ）を発行したりすることができる。
【０３２８】
即ち、以下で説明される医療情報提供方法は、前記ユーザ・ウェブ画面を通じて診断及び治療における各種参考資料を提供したり、各種警告（Alert ）機能を遂行したりするためのものである。
【０３２９】
以下では、医療情報提供方法の多様な例のうちから、特に抗癌剤情報提供方法、抗生剤情報提供方法、輸血処方情報提供方法、及び薬品情報提供方法を例にとって説明する。一方、以下では前記のような情報を提供するウェブ画面を通称して意思決定支援ウェブ画面といい、前記意思決定支援ウェブ画面は前記ユーザ用ウェブ画面のメニューを通じて活性化されるものである。
【０３３０】
図３０Ａ乃至図３０Ｅは、本発明に係るオンライン上における医療情報提供方法のうち、抗癌剤情報提供方法が具現される意思決定支援ウェブ画面の多様な例示図である。
【０３３１】
図示されたように抗癌剤と関連した各種情報を提供するための意思決定支援ウェブ画面（以下、簡単に" 抗癌剤ウェブ画面" という）は、レジメン（Regimen ）選択、検査結果照会及び投与計画修正、レジメン（Regimen ）処方、鎮吐剤処方、退院計画などのサブメニューを含んでおり、これを通じて抗癌剤プロトコル管理、抗癌剤処方発行、関連薬物情報照会、患者の基本的なブルー・シート（Blue Sheet）連結などの機能を遂行することになる。
【０３３２】
即ち、図３０Ａは各種抗癌剤に関する情報をクラス（Class ）化した目録を羅列してユーザが閲覧できるようにした後、希望する抗癌剤を選択できるようにしたものであり、図３０Ｂはユーザが選択された抗癌剤の毒性（Toxicity）やその他のアラーム（Alarm ）情報を管理できるようにした画面である。即ち、図３０Ｂに図示された画面を通じて医師は各抗癌剤の毒性や特性を確認することによって患者に最も適合した抗癌剤を選択できる情報を得ることになる。
【０３３３】
また、図３０Ｃは、選択された抗癌剤の処方発行画面であって、患者の体重と体表面積などの情報によりその用量を自動計算する。即ち、図２９Ａ乃至図２９Ｃに図示されたウェブ画面でユーザが診療しようとする患者を選択すると、ユーザ情報表示部１１０，２１０，３１０ａには選択された患者に関する基本情報が出力される一方、前記患者に関する詳細情報が提供可能な状態となる。一方、ユーザが、診療しようとする患者を選択した後、メイン・メニュー部１３０，２３０，３３０ａを通じて前記のような抗癌剤ウェブ画面を選択すると、制御部は患者情報管理部１３から選択された前記患者の体重、体表面積などの情報を参考にして抗癌剤の用量を自動的に計算する。または、前記抗癌剤ウェブ画面上において医師が直接患者の詳細情報を検索して入力する場合は、入力された患者情報を利用して抗癌剤の用量などを自動的に計算することになる。
【０３３４】
また、図３０Ｄは、抗癌剤と同時に投与できる鎮吐剤の処方画面を表したものであって、医師は前記図３０Ａ乃至図３０Ｃを通じて選択された抗癌剤に対して共に投与できる鎮吐剤の目録を閲覧できる一方、選択された鎮吐剤に対する処方を下すことになる。
【０３３５】
また、図３０Ｅは、患者が退院した後にも継続して坑癌治療を受けなければならない場合、それに対する各種計画を入力及び閲覧できるウェブ画面である。
【０３３６】
即ち、医師、看護師、または臨床検査室の職員は前記で説明された抗癌剤ウェブ画面の多様なメニューを通じて患者に最も適合した抗癌剤情報の提供を受ける一方、それに係る各種措置を遂行することができるので、個人的な所見でない正確なデータにより最も適合した意思決定を下すことになる。一方、前記のような抗癌剤情報は意思決定支援情報管理部１８に格納されており、前記抗癌剤ウェブ画面を通じてユーザが入力した各種情報は前記患者の別の情報と共に患者情報管理部１３に格納されて以後に閲覧可能になる。
【０３３７】
図３１は本発明に係るオンライン上における医療情報提供方法のうち、抗生剤情報提供方法が具現される意思決定支援ウェブ画面の一例示図である。
【０３３８】
即ち、図３１に図示されたような抗生剤と関連した各種情報を提供するための意思決定支援ウェブ画面（以下、簡単に" 抗生剤ウェブ画面" という）を通じて医師、看護師、または臨床検査室の職員は処方しようとする抗生剤と関連した各種検査結果及び情報などを照会することができ、それによって患者の状態に最も適合した抗生剤を処方できる。この際、前記のような抗生剤情報は図３０Ａ乃至図３０Ｅに対する説明で詳述したように意思決定支援情報管理部１８に格納されており、前記抗生剤ウェブ画面を通じてユーザが入力した各種情報は前記患者の別の情報と共に患者情報管理部１３に格納されて以後にユーザが閲覧できることになる。即ち、抗生剤情報提供方法は、特定の疾患や徴候（indication）に使われる抗生剤の種類と適用量などの関連情報をデータ・ベースで管理し、実際処方発行の際、統制管理する機能を遂行するものである。
【０３３９】
一方、図示されたような抗生剤ウェブ画面を通じて提供可能な機能としては、腎不全に対する用量計算、妊娠に係る薬物処方の選択（selection ）、または小児、成人に係る薬物処方選択機能などがありえる。
【０３４０】
また、医師が抗生剤に対する処方を下そうとする場合には、前記したように、抗生剤ウェブ画面を通じて抗生剤に関する各種情報を確認した後、患者に適合した抗生剤に対する処方をすることになり、この際、特定の抗生剤に対してはその使用期間を予め設定しておいてから、前記図２９Ａに図示された医師用ウェブ画面のユーザ情報表示部１１０にある警告（Alert ）メニューまたはリマインダ（Reminder）メニューを通じて確認するようにすることができる。
【０３４１】
また、前記のような抗生剤ウェブ画面を通じて処方された抗生剤情報は前記メイン・メニュー部１３０の別のメニューにより選択される一般オーダー画面でも確認できるようにすることによって、抗生剤でない他の処方を下す場合に既に処方された抗生剤情報を共に考慮するようにすることができる。即ち、前記抗生剤ウェブ画面は抗生剤に関する詳細情報を提供するためのものであって、前記抗生剤ウェブ画面を通じて処方された抗生剤情報は前記一般オーダー画面でも自由で閲覧できるようにされている。
【０３４２】
図３２Ａ乃至図３２Ｅは、輸血処方情報提供方法が具現される意思決定支援ウェブ画面の多様な例示図であって、輸血処方と関連した各種情報を提供することによって診断と治療における意思決定（Decision）を支援するためのものである。
【０３４３】
即ち、図３２Ａ乃至図３２Ｅに図示されたような輸血処方と関する各種情報を提供するための意思決定支援ウェブ画面（以下、簡単に" 輸血処方ウェブ画面" という）を通じて、医師、看護師、または臨床検査室の職員は輸血しようとする輸血製剤に関する詳細情報を閲覧できることは勿論、患者の状態によって適合した輸血製剤の使用数量及びその他の輸血と関連したオーダー（Order ）を下すことになる。
【０３４４】
即ち、医師、看護師、または臨床検査室の職員は、前記輸血処方ウェブ画面を通じて現在病院内で管理されている血液資源に関する詳細な情報の提供を受けることになり、それに係る適正な使用数量に対するオーダーを下すことができるので、血液返却または廃棄率を減少させることができる。従って、血液資源の効率のよい利用が可能になる。また、輸血しようとする血液に関する各種検査情報を予め確認することができるので、輸血誤りの減少及び輸血副作用を事前に防止することができることになる。
【０３４５】
まず、図３２Ａは、輸血場所を選択できる輸血処方ウェブ画面の一例であって、ユーザが病室、応急室、外来で使われる輸血であるか、でなければ手術場所で使われる輸血であるかに対して選択することができるウェブ画面である。
【０３４６】
次に、図３２Ｂは、輸血製剤を選択できる輸血処方ウェブ画面であって、２週間以内の輸血状況とその検査結果を照会して使用しようとする血液の基準に適合した輸血製剤であるかどうかをユーザが確認できるようにしたのである。
【０３４７】
次に、図３２Ｃは、手術場所の輸血製剤の選択画面であって、手術日付と手術の種類などによって輸血製剤の種類、出庫、及び量をユーザが選択できるようにしたものである。
【０３４８】
次に、図３２Ｄは、選択した輸血製剤に関する各種情報を閲覧できる画面であって、選択された輸血製剤が使用基準に適合するかどうかをユーザが確認できるようにしたのである。
【０３４９】
最後に、図３２Ｅは、実際に使用しようとする輸血製剤の種類、使用数量、及びその他の輸血製剤の使用と関連した各種オーダーをユーザが下すことができるようにした画面である。
【０３５０】
即ち、医師、看護師、または臨床検査室の職員は、各々図２９Ａ乃至図２９Ｃに図示されたユーザ用ウェブ画面のメニュー選択を通じて図３２Ａ乃至図３２Ｅに図示されたような各種輸血処方ウェブ画面を活性化させることができ、それを利用して各種輸血情報を閲覧できるだけでなく、輸血製剤の種類及び数量などに対するオーダーを下すことができる。
【０３５１】
また、前記図３１に対する説明で詳述したように、前記輸血処方ウェブ画面を通じて入力されたオーダーの情報は前記一般オーダー画面または別途の画面を通じて閲覧することができる。
【０３５２】
また、前記のような輸血処方情報は、図３０Ａ乃至図３０Ｅに対する説明で詳述したように、意思決定支援情報管理部１８に格納されており、前記輸血処方ウェブ画面を通じてユーザが入力した各種情報は前記患者の別の情報と共に患者情報管理部１３に格納されて以後にユーザが閲覧可能になる。
【０３５３】
図３３Ａ及び図３３Ｂは、本発明に係るオンライン上の医療情報提供方法のうち、薬品情報提供方法が具現される意思決定支援ウェブ画面の多様な例示図である。
【０３５４】
即ち、図示されたような薬品と関連した各種情報を入力して閲覧できるようにするための意思決定支援ウェブ画面（以下、簡単に" 薬品情報ウェブ画面" という）を通じて医師、看護師または臨床検査室の職員は処方しようとする薬品に関する詳細情報を閲覧できることは勿論、患者の状態によって適合した薬品種類及び使用数量に対するオーダー（Order ）を下すことになる。
【０３５５】
まず、図３３Ａは、薬品情報ウェブ画面のうち、特に薬物情報及びそれと関連した特異情報を入力できる画面であって、前記薬品情報ウェブ画面を管理できる権限を有するユーザが利用できる画面である。即ち、図示されたような薬品情報ウェブ画面を通じて前記管理者は病院内で使われている各薬品に関する詳細情報だけでなく、それと関連した特異情報を入力することができ、入力された情報は意思決定支援情報管理部１８に格納され、医師、看護師、または臨床検査室の職員が各々図２９Ａ乃至図２９Ｃに図示されたウェブ画面のメニューを通じて閲覧を要請する場合、該当ウェブ画面を通じて提供される。
【０３５６】
一方、図３３Ａに図示された画面を通じて入力された情報は、図３３Ｂに図示された閲覧画面を通じて照会される。
【０３５７】
また、図示されていないが、ユーザが入力された薬品情報を確認しながら患者に対する薬品処方オーダーを提供できる薬品情報ウェブ画面の具現も可能であり、前記で言及した一般オーダー画面でもユーザが前記薬品情報を直接確認しながらオーダーを作成するようにすることができる。
【０３５８】
また、前記図３０Ａ乃至図３０Ｅ及び図３１に対する説明で言及した抗癌剤情報及び抗生剤情報は、別途の管理者画面を通じて入力されて前記意思決定支援情報管理部１８に格納されたものであってもよいし、図３３Ａに図示された画面を通じてその他の薬品情報等と共に入力されたものであってもよい。即ち、図３３Ａ及び図３３Ｂに図示された薬品情報には前記抗癌剤情報及び抗生剤情報も含まれてもよい。但し、抗癌剤及び抗生剤の場合にはその処方において慎重を期する必要があるので、別途のウェブ画面を通じて具現するようにしたのである。また、前記で詳述した輸血処方情報やはり別途の管理画面を通じて輸血処方に関する情報を登録させることができるようになっている。
【０３５９】
一方、図３３Ａのような薬品情報ウェブ画面を通じて入力される情報には、薬物の効能、薬物の作用臓器、薬物の一般名称（generic name）とブランド名称（brand name）との関連、薬物相互作用、薬物副作用、薬物アレルギー、処方用量などが含まれる。この際、前記各種情報は巨視的に見て、薬品処方と関連した情報、薬物警告と関連した情報、保険規定と関連した情報、薬品分類と関連した情報などに区分される。
【０３６０】
即ち、薬品処方と関連した情報としては、商品名、一般名、用量、用法、単位、製薬会社、剤型、保険酬価、保険コード、過用量の限界に関する情報などがありえて、薬物警告に関する情報としては、薬物コード、薬物相互作用コード、相互作用対象薬物コード、薬物禁忌コード、禁忌対象項目コード、アレルギー・コード、アレルギー対象項目コードなどがありえて、保険規定に関する情報としては、薬物処方期間、用量に関する情報、薬物と診断名に関する情報、薬物使用順位に関する情報などがありえる。
【０３６１】
この際、入力された前記薬品情報は、前記したように、意思決定支援情報管理部１８に格納される一方、医師用ウェブ画面、看護師用ウェブ画面、または臨床検査室用ウェブ画面のメニューを通じて閲覧可能であり、その閲覧形態の一例が図３３Ｂに図示されている。
【０３６２】
一方、前記薬品情報は、医師が医師用ウェブ画面で一般オーダー画面を通じて各種オーダーを作成する間に利用できる。即ち、医師は患者を診療した後、それに係る各種オーダーを下すことになるが、この際、薬品処方も共に下すことができ、前記医師により処方された薬品情報に対して制御部１２が前記意思決定支援情報管理部１８に格納されている各種薬品情報を参考にしてその使用の可否に対するメッセージを提供することができる。例えば、医師が２つの薬品を混合して薬品処方をした場合に、制御部１２は処方された２つの薬品が共に使用可能であるかどうかを判断することになり、この際、同時使用が禁止されていると判断された場合には、前記医師用ウェブ画面に使用不可警告メッセージを出力するようにすることができる。
【０３６３】
即ち、図３３Ａ及び図３３Ｂに図示されたような薬品情報ウェブ画面を通じてユーザは病院内で使われる全ての薬品に関する情報を統合的に管理することによって、薬品使用の副作用及び乱用を防止する。
【０３６４】
前記のように、本発明に係る医療情報提供方法は、医師、看護師、または臨床検査室の職員が患者を診療しながら各種意思決定をするべき場合に、客観的に参考できる情報を提供することによって、判断者の主観に偏らない適法な意思決定ができる方法を提供している。
【０３６５】
また、前記意思決定支援情報は、各種検査、実験、及び治療結果から得られた客観的なデータであって、本発明は各管理者が新しく取得した情報を前記意思決定支援ウェブ画面を通じて直接入力できるようにする機能も共に提供している。
【０３６６】
即ち、前記で説明した意思決定支援情報を利用した医療情報提供方法は、ユーザが病院内で必要な各種情報を意思決定支援ウェブ画面を通じて管理して閲覧できるようにする方法であって、医師、看護師、または臨床検査室の職員の意思決定を支援するものである。
【０３６７】
一方、前記のような医師、看護師、臨床検査室の職員の端末機で具現される医療情報管理方法により、医師、看護師、臨床検査室の職員はネットワークを通じて患者の診療、看護、検査、及び治療結果を共有できることになるので、より迅速、かつ、正確に患者に対する診療ができることになる。
【０３６８】
以上、本発明は前記で記述された実施形態により限るのではなく、当業者により多様な変形及び変更が可能であり、これは請求範囲で定義される本発明の趣旨と範囲に含まれる。
【図面の簡単な説明】
【０３６９】
【図１Ａ】本発明が適用される病院業務の一実施形態の概略図である。
【図１Ｂ】本発明が適用される医療情報提供システムの一実施形態の構成図である。
【図２】本発明によるオンライン上における医療情報管理方法により提供されるウェブ・ブラウザ画面の一例示図である。
【図３Ａ】本発明によるオンライン上における医療情報管理方法により提供されるウェブ・ブラウザ画面のうち、患者選択画面の一例示図である。
【図３Ｂ】本発明によるオンライン上における医療情報管理方法により提供されるウェブ・ブラウザ画面のうち、オーダー入力画面の一例示図である。
【図４】本発明によるオンライン上における医療情報管理方法により提供されるウェブ・ブラウザ画面のうち、メイン・メニュー部を示す一例示図である。
【図５】本発明によるオンライン上における医療情報管理方法により提供されるウェブ・ブラウザ画面のうち、患者情報入力部の初期画面の一例示図である。
【図６Ａ】本発明によるオンライン上における医療情報管理方法により提供されるウェブ・ブラウザ画面のうち、患者情報入力部から外来初診メニューを選択した場合の例示図である。
【図６Ｂ】本発明によるオンライン上における医療情報管理方法により提供されるウェブ・ブラウザ画面のうち、患者情報入力部から外来初診メニューを選択した場合の例示図である。
【図６Ｃ】本発明によるオンライン上における医療情報管理方法により提供されるウェブ・ブラウザ画面のうち、患者情報入力部から外来初診メニューを選択した場合の例示図である。
【図６Ｄ】本発明によるオンライン上における医療情報管理方法により提供されるウェブ・ブラウザ画面のうち、患者情報入力部から外来初診メニューを選択した場合の例示図である。
【図６Ｅ】本発明によるオンライン上における医療情報管理方法により提供されるウェブ・ブラウザ画面のうち、患者情報入力部から外来初診メニューを選択した場合の例示図である。
【図６Ｆ】本発明によるオンライン上における医療情報管理方法により提供されるウェブ・ブラウザ画面のうち、患者情報入力部から外来初診メニューを選択した場合の例示図である。
【図６Ｇ】本発明によるオンライン上における医療情報管理方法により提供されるウェブ・ブラウザ画面のうち、患者情報入力部から外来初診メニューを選択した場合の例示図である。
【図６Ｈ】本発明によるオンライン上における医療情報管理方法により提供されるウェブ・ブラウザ画面のうち、患者情報入力部から外来初診メニューを選択した場合の例示図である。
【図７】本発明によるオンライン上における医療情報管理方法により提供されるウェブ・ブラウザ画面のうち、患者情報入力部から外来経過メニューを選択した場合の一実施形態の画面例示図である。
【図８】本発明によるオンライン上における医療情報管理方法により提供されるウェブ・ブラウザ画面のうち、患者情報入力部から入院初診メニューを選択した場合の一実施形態の画面例示図である。
【図９】本発明によるオンライン上における医療情報管理方法により提供されるウェブ・ブラウザ画面のうち、患者情報入力部から入院経過メニューを選択した場合の一実施形態の画面例示図である。
【図１０】本発明によるオンライン上における医療情報管理方法により提供されるウェブ・ブラウザ画面のうち、患者情報入力部から他科依頼メニューを選択した場合の一実施形態の画面例示図である。
【図１１】本発明によるオンライン上における医療情報管理方法により提供されるウェブ・ブラウザ画面のうち、患者情報入力部から手術記録メニューを選択した場合の一実施形態の画面例示図である。
【図１２Ａ】本発明によるオンライン上における医療情報管理方法により提供されるウェブ・ブラウザ画面のうち、患者情報入力部から退院記録メニューを選択した場合の一実施形態の画面例示図である。
【図１２Ｂ】本発明によるオンライン上における医療情報管理方法により提供されるウェブ・ブラウザ画面のうち、患者情報入力部から退院記録メニューを選択した場合の一実施形態の画面例示図である。
【図１３】本発明によるオンライン上における医療情報管理方法により提供されるウェブ・ブラウザ画面のうち、患者情報入力部から診断書／依頼書メニューを選択した場合の一実施形態の画面例示図である。
【図１４】本発明によるオンライン上における医療情報管理方法により提供されるウェブ・ブラウザ画面のうち、患者情報入力部から書式メニューを選択した場合の一実施形態の画面例示図である。
【図１５】本発明によるオンライン上における医療情報管理方法により提供されるウェブ・ブラウザ画面のうち、患者情報閲覧部及びユーザ情報表示部を説明するための一実施形態の画面例示図である。
【図１６】本発明によるオンライン上における医療情報管理方法により提供されるウェブ・ブラウザ画面の一例示図である。
【図１７Ａ】本発明によるオンライン上における医療情報管理方法により提供されるウェブ・ブラウザ画面のうち、患者選択部の一例示図である。
【図１７Ｂ】本発明によるオンライン上における医療情報管理方法により提供されるウェブ・ブラウザ画面のうち、患者選択部の一例示図である。
【図１８】本発明によるオンライン上における医療情報管理方法により提供されるウェブ・ブラウザ画面のうち、メイン・メニュー部を示す一例示図である。
【図１９】本発明によるオンライン上における医療情報管理方法により提供されるウェブ・ブラウザ画面のうち、患者を選択した場合のユーザ情報表示部を示す一例示図である。
【図２０】本発明によるオンライン上における医療情報管理方法により提供されるウェブ・ブラウザ画面のうち、マイ・メニュー部からオーダー遂行短縮アイコンを選択した場合の例示図である。
【図２１Ａ】本発明によるオンライン上における医療情報管理方法により提供されるウェブ・ブラウザ画面のうち、マイ・メニュー部から看護日誌短縮アイコンを選択した場合の例示図である。
【図２１Ｂ】本発明によるオンライン上における医療情報管理方法により提供されるウェブ・ブラウザ画面のうち、マイ・メニュー部から看護日誌短縮アイコンを選択した場合の例示図である。
【図２２】本発明によるオンライン上における医療情報管理方法により提供されるウェブ・ブラウザ画面のうち、マイ・メニュー部から臨床観察短縮アイコンを選択した場合の例示図である。
【図２３】本発明によるオンライン上における医療情報管理方法により提供されるウェブ・ブラウザ画面のうち、マイ・メニュー部から看護活動遂行短縮アイコンを選択した場合の例示図である。
【図２４】本発明によるオンライン上における医療情報管理方法により提供されるウェブ・ブラウザ画面のうち、マイ・メニュー部から食事発行及び照会短縮アイコンを選択した場合の例示図である。
【図２５Ａ】本発明によるオンライン上における医療情報管理方法のうち、機能検査の医療情報管理方法により提供されるウェブ・ブラウザ画面の例示図である。
【図２５Ｂ】本発明によるオンライン上における医療情報管理方法のうち、機能検査の医療情報管理方法により提供されるウェブ・ブラウザ画面の例示図である。
【図２５Ｃ】本発明によるオンライン上における医療情報管理方法のうち、機能検査の医療情報管理方法により提供されるウェブ・ブラウザ画面の例示図である。
【図２５Ｄ】本発明によるオンライン上における医療情報管理方法のうち、機能検査の医療情報管理方法により提供されるウェブ・ブラウザ画面の例示図である。
【図２５Ｅ】本発明によるオンライン上における医療情報管理方法のうち、機能検査の医療情報管理方法により提供されるウェブ・ブラウザ画面の例示図である。
【図２６Ａ】本発明によるオンライン上における医療情報管理方法のうち、リハビリテーションの医療情報管理方法により提供されるウェブ・ブラウザ画面の例示図である。
【図２６Ｂ】本発明によるオンライン上における医療情報管理方法のうち、リハビリテーションの医療情報管理方法により提供されるウェブ・ブラウザ画面の例示図である。
【図２６Ｃ】本発明によるオンライン上における医療情報管理方法のうち、リハビリテーションの医療情報管理方法により提供されるウェブ・ブラウザ画面の例示図である。
【図２６Ｄ】本発明によるオンライン上における医療情報管理方法のうち、リハビリテーションの医療情報管理方法により提供されるウェブ・ブラウザ画面の例示図である。
【図２７Ａ】本発明によるオンライン上における医療情報管理方法のうち、健康検査の医療情報管理方法により提供されるウェブ・ブラウザ画面の例示図である。
【図２７Ｂ】本発明によるオンライン上における医療情報管理方法のうち、健康検査の医療情報管理方法により提供されるウェブ・ブラウザ画面の例示図である。
【図２７Ｃ】本発明によるオンライン上における医療情報管理方法のうち、健康検査の医療情報管理方法により提供されるウェブ・ブラウザ画面の例示図である。
【図２７Ｄ】本発明によるオンライン上における医療情報管理方法のうち、健康検査の医療情報管理方法により提供されるウェブ・ブラウザ画面の例示図である。
【図２８Ａ】本発明によるオンライン上における医療情報管理方法のうち、放射線治療の医療情報管理方法により提供されるウェブ・ブラウザ画面の例示図である。
【図２８Ｂ】本発明によるオンライン上における医療情報管理方法のうち、放射線治療の医療情報管理方法により提供されるウェブ・ブラウザ画面の例示図である
【図２９Ａ】本発明によるオンライン上における医療情報提供方法が適用されるウェブ画面の例示図である。
【図２９Ｂ】本発明によるオンライン上における医療情報提供方法が適用されるウェブ画面の例示図である。
【図２９Ｃ】本発明によるオンライン上における医療情報提供方法が適用されるウェブ画面の例示図である。
【図３０Ａ】本発明によるオンライン上における医療情報提供方法のうち、抗癌剤情報提供方法が具現される意思決定支援ウェブ画面の例示図である。
【図３０Ｂ】本発明によるオンライン上における医療情報提供方法のうち、抗癌剤情報提供方法が具現される意思決定支援ウェブ画面の例示図である。
【図３０Ｃ】本発明によるオンライン上における医療情報提供方法のうち、抗癌剤情報提供方法が具現される意思決定支援ウェブ画面の例示図である。
【図３０Ｄ】本発明によるオンライン上における医療情報提供方法のうち、抗癌剤情報提供方法が具現される意思決定支援ウェブ画面の例示図である。
【図３０Ｅ】本発明によるオンライン上における医療情報提供方法のうち、抗癌剤情報提供方法が具現される意思決定支援ウェブ画面の例示図である。
【図３１】本発明によるオンライン上における医療情報提供方法のうち、抗生剤情報提供方法が具現される意思決定支援ウェブ画面の一例示図である。
【図３２Ａ】本発明によるオンライン上における医療情報提供方法のうち、輸血処方情報提供方法が具現される意思決定支援ウェブ画面の例示図である。
【図３２Ｂ】本発明によるオンライン上における医療情報提供方法のうち、輸血処方情報提供方法が具現される意思決定支援ウェブ画面の例示図である。
【図３２Ｃ】本発明によるオンライン上における医療情報提供方法のうち、輸血処方情報提供方法が具現される意思決定支援ウェブ画面の例示図である。
【図３２Ｄ】本発明によるオンライン上における医療情報提供方法のうち、輸血処方情報提供方法が具現される意思決定支援ウェブ画面の例示図である。
【図３２Ｅ】本発明によるオンライン上における医療情報提供方法のうち、輸血処方情報提供方法が具現される意思決定支援ウェブ画面の例示図である。
【図３３Ａ】本発明によるオンライン上における医療情報提供方法のうち、薬品情報提供方法が具現される意思決定支援ウェブ画面の多様な例示図である。
【図３３Ｂ】本発明によるオンライン上における医療情報提供方法のうち、薬品情報提供方法が具現される意思決定支援ウェブ画面の多様な例示図である。
【図１Ａ】
2006527445.tif 000003
【図１Ｂ】
2006527445.tif 000004
【図２】
2006527445.tif 000005
2006527445.tif 000006
2006527445.tif 000007
【図４】
2006527445.tif 000008
【図５】
2006527445.tif 000009
2006527445.tif 000010
2006527445.tif 000011
2006527445.tif 000012
2006527445.tif 000013
2006527445.tif 000014
2006527445.tif 000015
2006527445.tif 000016
2006527445.tif 000017
【図７】
2006527445.tif 000018
【図８】
2006527445.tif 000019
【図９】
2006527445.tif 000020
【図１０】
2006527445.tif 000021
【図１１】
2006527445.tif 000022
2006527445.tif 000023
2006527445.tif 000024
【図１３】
2006527445.tif 000025
【図１４】
2006527445.tif 000026
【図１５】
2006527445.tif 000027
【図１６】
2006527445.tif 000028
2006527445.tif 000029
2006527445.tif 000030
【図１８】
2006527445.tif 000031
【図１９】
2006527445.tif 000032
【図２０】
2006527445.tif 000033
2006527445.tif 000034
2006527445.tif 000035
【図２２】
2006527445.tif 000036
【図２３】
2006527445.tif 000037
【図２４】
2006527445.tif 000038
【図２５Ａ】
2006527445.tif 000039
2006527445.tif 000040
2006527445.tif 000041
2006527445.tif 000042
2006527445.tif 000043
【図２６Ａ】
2006527445.tif 000044
2006527445.tif 000045
2006527445.tif 000046
2006527445.tif 000047
【図２７Ａ】
2006527445.tif 000048
2006527445.tif 000049
2006527445.tif 000050
2006527445.tif 000051
【図２８Ａ】
2006527445.tif 000052
2006527445.tif 000053
【図２９Ａ】
2006527445.tif 000054
【図２９Ｂ】
2006527445.tif 000055
【図２９Ｃ】
2006527445.tif 000056
2006527445.tif 000057
2006527445.tif 000058
2006527445.tif 000059
2006527445.tif 000060
2006527445.tif 000061
【図３１】
2006527445.tif 000062
2006527445.tif 000063
2006527445.tif 000064
2006527445.tif 000065
2006527445.tif 000066
2006527445.tif 000067
2006527445.tif 000068
2006527445.tif 000069
【国際調査報告】
2006527445.tif 000070